(57)【要約】ワイヤレス送信／受信ユニット（ＷＴＲＵ）のためのフレキシブルなリソース制御のための方法およびシステムを開示する。ＷＴＲＵは、第１の制御チャネル領域を監視し、キャリアの複数のニューメロロジーブロックの境界を示す第１の制御領域中で第１の制御チャネル送信を受信し得る。ＷＴＲＵは、次いで、第２の制御領域の第２の制御チャネル中で第２の制御チャネル送信を受信することであって、第２の制御チャネル送信は、複数のニューメロロジーブロックのうちの少なくとも１つのための１つまたは複数のニューメロロジーパラメータを示す、受信することを行い得る。ＷＴＲＵは、次いで、１つまたは複数のニューメロロジーブロックの１つまたは複数のニューメロロジーパラメータに基づいてデータを送信または受信し得る。
2019531633.tif 000002
【特許請求の範囲】
【請求項１】
ワイヤレス送信／受信ユニット（ＷＴＲＵ）のための方法であって、
第１の制御チャネル領域を監視するステップと、
キャリアの複数のニューメロロジーブロックの境界を示す前記第１の制御領域中で第１の制御チャネル送信を受信するステップと、
第２の制御領域の第２の制御チャネル中で第２の制御チャネル送信を受信するステップであって、前記第２の制御チャネル送信が、前記複数のニューメロロジーブロックのうちの少なくとも１つについての１つまたは複数のニューメロロジーパラメータを示す、受信するステップと、
前記１つまたは複数のニューメロロジーブロックの前記１つまたは複数のニューメロロジーパラメータに基づいてデータを送信または受信するステップと
を備える方法。
【請求項２】
前記１つまたは複数のニューメロロジーパラメータが、
ブロックサイズと、
サブフレーム長と、
スケジューリング機会のタイミングと、
切替えタイミングと
のうちの少なくとも１つを備える請求項１に記載の方法。
【請求項３】
前記１つまたは複数のニューメロロジーパラメータが、
波形と、
送信と、
多元接続方式と、
送信のソースと、
ユースケースと
のうちの少なくとも１つに基づく請求項１に記載の方法。
【請求項４】
前記第１の制御送信が、前記第２の制御チャネルについての１つまたは複数のチャネルパラメータをさらに含む請求項１に記載の方法。
【請求項５】
前記第２の制御送信が、前記第２の制御チャネルについての前記１つまたは複数のチャネルパラメータに基づいて受信される請求項４に記載の方法。
【請求項６】
前記第１の制御チャネル送信を受信したことに応答して肯定応答（ＡＣＫ）を送信するステップをさらに備える請求項５に記載の方法。
【請求項７】
前記第１の制御チャネル送信と前記第２の制御チャネル送信との中で受信された情報に基づいてデータチャネル上でデータ送信を受信するステップをさらに備える請求項１に記載の方法。
【請求項８】
前記スケジューリングが、
半静的帯域幅変更シグナリングと、
データ帯域幅の動的シグナリングと、
帯域幅のニーズの周期的な決定と、
低域帯域幅への自動フォールバックと
のうちの少なくとも１つにさらに基づく請求項１に記載の方法。
【請求項９】
複数の基準信号を測定するステップと、
前記測定された複数の基準信号の前記ニューメロロジーを決定するステップと、
前記複数の基準信号のうちの少なくとも２つの異なる基準信号の間の直交性を達成するために異なるニューメロロジーを用いて前記少なくとも２つの異なる基準信号をマッピングするステップと
をさらに備える請求項１に記載の方法。
【請求項１０】
アンテナとプロセッサとトランシーバとに動作可能に接続された前記プロセッサをもつワイヤレス送信／受信ユニット（ＷＴＲＵ）であって、
第１の制御チャネル領域を監視することと、
キャリアの複数のニューメロロジーブロックの境界を示す前記第１の制御領域中で第１の制御チャネル送信を受信することと、
第２の制御領域の第２の制御チャネル中で第２の制御チャネル送信を受信することであって、前記第２の制御チャネル送信が、前記複数のニューメロロジーブロックのうちの少なくとも１つについての１つまたは複数のニューメロロジーパラメータを示す、受信することと、
前記１つまたは複数のニューメロロジーブロックの前記１つまたは複数のニューメロロジーパラメータに基づいてデータを受信または送信することと
を行うように構成されたワイヤレス送信／受信ユニット（ＷＴＲＵ）。
【請求項１１】
前記１つまたは複数のニューメロロジーパラメータが、
ブロックサイズと、
サブフレーム長と、
スケジューリング機会のタイミングと、
切替えタイミングと
のうちの少なくとも１つを備える請求項１０に記載のＷＴＲＵ。
【請求項１２】
前記１つまたは複数のニューメロロジーパラメータが、
波形と、
送信と、
多元接続方式と、
送信のソースと、
ユースケースと
のうちの少なくとも１つに基づく請求項１０に記載のＷＴＲＵ。
【請求項１３】
前記第１の制御送信が、前記第２の制御チャネルについての１つまたは複数のチャネルパラメータをさらに含む請求項１０に記載のＷＴＲＵ。
【請求項１４】
前記第２の制御送信が、前記第２の制御チャネルについての前記１つまたは複数のチャネルパラメータに基づいて受信される請求項１３に記載のＷＴＲＵ。
【請求項１５】
前記プロセッサと前記トランシーバとが、前記第１の制御チャネル送信を受信したことに応答して肯定応答（ＡＣＫ）を送信するようにさらに構成された請求項１４に記載のＷＴＲＵ。
【請求項１６】
前記第１の制御チャネル送信と前記第２の制御チャネル送信との中で受信された情報に基づいてデータチャネル上でデータ送信を受信することをさらに備える請求項１５に記載のＷＴＲＵ。
【請求項１７】
前記スケジューリングが、
半静的帯域幅変更シグナリングと、
データ帯域幅の動的シグナリングと、
帯域幅のニーズの周期的な決定と、
低域帯域幅への自動フォールバックと
のうちの少なくとも１つにさらに基づく請求項１０に記載のＷＴＲＵ。
【請求項１８】
複数の基準信号を測定することと、
前記測定された複数の基準信号の前記ニューメロロジーを決定することと、
前記複数の基準信号のうちの少なくとも２つの異なる基準信号の間の直交性を達成するために異なるニューメロロジーを用いて前記少なくとも２つの異なる基準信号をマッピングすることと
をさらに備える請求項１０に記載のＷＴＲＵ。
【発明の詳細な説明】
【技術分野】
【０００１】
ワイヤレス送信／受信ユニット（ＷＴＲＵ）のためのフレキシブルなリソース制御のための方法に関する。
【背景技術】
【０００２】
関連出願の相互参照
本出願は、その内容が参照により本明細書に組み込まれる、２０１６年８月１０日に出願された仮出願第６２／３７３，０８９号および２０１６年９月２８日に出願された仮出願第６２／４００，９５０号の利益を主張する。
【０００３】
モバイル通信では、ワイヤレス技術の世代の進歩がある。たとえば、１９８０年にワイヤレス技術の第１世代が確立された。１９８０年代終わりまでに、第２世代が続いた。このパターンは、開発のペースが変わるとしても、続く。技術のいくつかの世代は使用中止されたが、他のものは、依然として他の世代と同時に開発され続けている。ワイヤレス技術のすべての世代は、規格、プロトコル、ハードウェア、および他の関連する開発を必要とする。それぞれの新世代では、これらの同じ問題に対処しなければならない。
【発明の概要】
【０００４】
ワイヤレス送信／受信ユニット（ＷＴＲＵ）のためのフレキシブルなリソース制御のための方法およびシステムを開示する。ＷＴＲＵは、第１の制御チャネル領域を監視し、キャリアの複数のニューメロロジー（numerology）ブロックの境界を示す第１の制御領域中で第１の制御チャネル送信を受信し得る。ＷＴＲＵは、次いで、第２の制御領域の第２の制御チャネル中で第２の制御チャネル送信を受信することであって、第２の制御チャネル送信は、複数のニューメロロジーブロックのうちの少なくとも１つのための１つまたは複数のニューメロロジーパラメータを示す、受信することを行い得る。ＷＴＲＵは、次いで、１つまたは複数のニューメロロジーブロックの１つまたは複数のニューメロロジーパラメータに基づいてデータを送信または受信し得る。
【図面の簡単な説明】
【０００５】
より詳細な理解は、添付の図面と併せて例として与えられる以下の説明から得ることができ、ここにおいて、図中の同様の参照番号は同様の要素を示す。
【０００６】
【図１Ａ】１つまたは複数の開示する実施形態が実装され得る例示的な通信システムを示すシステム図である。
【図１Ｂ】一実施形態による、図１Ａに示す通信システム内で使用され得る例示的なワイヤレス送信／受信ユニット（ＷＴＲＵ）を示すシステム図である。
【図１Ｃ】一実施形態による、図１Ａに示す通信システム内で使用され得る例示的な無線アクセスネットワーク（ＲＡＮ）と例示的なコアネットワーク（ＣＮ）とを示すシステム図である。
【図１Ｄ】一実施形態による、図１Ａに示す通信システム内で使用され得るさらなる例示的なＲＡＮとさらなる例示的なＣＮとを示すシステム図である。
【図２】送信帯域幅の一例を示す図である。
【図３】フレキシブルなスペクトル割振りの一例を示す図である。
【図４】異なるニューメロロジーブロック間でのスロット／サブフレームの同期を保証する非隣接スロット／サブフレームを示す一例のグラフである。
【図５Ａ】ニューメロロジーブロックの２ステップ構成を示す一例のグラフである。
【図５Ｂ】本明細書で説明する一実施形態による、例示的なプロセスのフローチャートである。
【図５Ｃ】本明細書で説明する一実施形態による、例示的なプロセスの流れ図である。
【図６Ａ】１つまたは複数のニューメロロジーに従って信号を受信するための例示的なシステムの図である。
【図６Ｂ】１つまたは複数のニューメロロジーに従って信号を送信するための例示的
【図７】複数のニューメロロジーを介してマッピングすることの一例を示すグラフである。
【図８】異なるＴＲＰからのＲＳの直交化のための時間または周波数的なＲＳの繰り返しの一例を示すグラフである。
【発明を実施するための形態】
【０００７】
図１Ａは、１つまたは複数の開示する実施形態が実装され得る例示的な通信システム１００を示す図である。通信システム１００は、複数のワイヤレスユーザに音声、データ、ビデオ、メッセージング、ブロードキャストなどのコンテンツを与える多元接続システムであり得る。通信システム１００は、ワイヤレス帯域幅を含むシステムリソースの共有を通してそのようなコンテンツに複数のワイヤレスユーザがアクセスすることを可能にし得る。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワード離散フーリエ変換拡散ＯＦＤＭ（zero-tail unique-word discrete Fourier transform Spread OFDM）（ＺＴ  ＵＷ  ＤＴＳ  ＯＦＤＭ）、ユニークワードＯＦＤＭ（unique word OFDM）（ＵＷ−ＯＦＤＭ）、リソースブロックフィルタ処理済みＯＦＤＭ（resource block-filtered OFDM）、フィルタバンクマルチキャリア（filter bank multicarrier）（ＦＢＭＣ）などの１つまたは複数のチャネルアクセス方法を採用し得る。
【０００８】
図１Ａに示すように、通信システム１００は、ワイヤレス送信／受信ユニット（ＷＴＲＵ）１０２ａ、１０２ｂ、１０２ｃ、１０２ｄと、ＲＡＮ１０４／１１３と、ＣＮ１０６／１１５と、公衆交換電話網（ＰＳＴＮ）１０８と、インターネット１１０と、他のネットワーク１１２とを含み得るが、開示する実施形態が、任意の数のＷＴＲＵ、基地局、ネットワーク、および／またはネットワーク要素を企図することを諒解されよう。ＷＴＲＵ１０２ａ、１０２ｂ、１０２ｃ、１０２ｄの各々は、ワイヤレス環境において動作および／または通信するように構成された任意のタイプのデバイスであり得る。例として、いずれかが「局」および／または「ＳＴＡ」と呼ばれることがあるＷＴＲＵ１０２ａ、１０２ｂ、１０２ｃ、１０２ｄは、ワイヤレス信号を送信および／または受信するように構成され得、ユーザ機器（ＵＥ）、移動局、固定またはモバイル加入者ユニット、サブスクリプションベースのユニット、ページャ、セルラー電話、携帯情報端末（ＰＤＡ）、スマートフォン、ラップトップ、ネットブック、パーソナルコンピュータ、ワイヤレスセンサ、ホットスポットまたはＭｉ−Ｆｉデバイス、モノのインターネット（ＩｏＴ）デバイス、ウォッチまたは他のウェアラブルなもの、ヘッドマウントディスプレイ（ＨＭＤ）、ビークル、ドローン、医療デバイスおよびアプリケーション（たとえば、遠隔手術）、産業用デバイスおよびアプリケーション（たとえば、産業および／または自動処理チェーンコンテキストで動作するロボットおよび／または他のワイヤレスデバイス）、家庭用電子機器デバイス、商用および／または産業用ワイヤレスネットワーク上で動作するデバイスなどを含み得る。ＷＴＲＵ１０２ａ、１０２ｂ、１０２ｃおよび１０２ｄのいずれかは、互換的にＵＥと呼ばれることがある。
【０００９】
通信システム１００はまた、基地局１１４ａおよび／または基地局１１４ｂを含み得る。基地局１１４ａ、１１４ｂの各々は、ＣＮ１０６／１１５、インターネット１１０、および／または他のネットワーク１１２などの１つまたは複数の通信ネットワークへのアクセスを容易にするためにＷＴＲＵ１０２ａ、１０２ｂ、１０２ｃ、１０２ｄのうちの少なくとも１つとワイヤレスにインターフェースするように構成された任意のタイプのデバイスであり得る。例として、基地局１１４ａ、１１４ｂは、送受信基地局（ＢＴＳ）、ノードＢ、ｅノードＢ、ホームノードＢ、ホームｅノードＢ、次世代（ｇＮＢ）、新無線（new radio）（ＮＲ）ノードＢ、サイトコントローラ、アクセスポイント（ＡＰ）、ワイヤレスルータなどであり得る。基地局１１４ａ、１１４ｂがそれぞれ単一の要素として示されているが、基地局１１４ａ、１１４ｂが任意の数の相互接続された基地局および／またはネットワーク要素を含み得ることを諒解されよう。
【００１０】
基地局１１４ａは、他の基地局および／または基地局コントローラ（ＢＳＣ）、無線ネットワークコントローラ（ＲＮＣ）、リレーノードなどのネットワーク要素（図示せず）をも含み得るＲＡＮ１０４／１１３の一部であり得る。基地局１１４ａおよび／または基地局１１４ｂは、セル（図示せず）と呼ばれることがある１つまたは複数のキャリア周波数上でワイヤレス信号を送信および／または受信するように構成され得る。これらの周波数は、認可スペクトル、無認可スペクトル、または認可スペクトルと無認可スペクトルとの組合せ中にあり得る。セルは、比較的固定され得るか、または時間とともに変化し得る特定の地理的エリアにワイヤレスサービスのためのカバレージを与え得る。セルは、セルセクタにさらに分割され得る。たとえば、基地局１１４ａに関連付けられたセルは、３つのセクタに分割され得る。したがって、一実施形態では、基地局１１４ａは、３つのトランシーバ、すなわち、セルのセクタごとに１つを含み得る。一実施形態では、基地局１１４ａは、多入力多出力（ＭＩＭＯ）技術を採用し得、セルのセクタごとに複数のトランシーバを利用し得る。たとえば、所望の空間的方向で信号を送信および／または受信するために、ビームフォーミングが使用され得る。
【００１１】
基地局１１４ａ、１１４ｂは、任意の好適なワイヤレス通信リンク（たとえば、無線周波数（ＲＦ）、マイクロ波、センチメートル波、マイクロメートル波、赤外線（ＩＲ）、紫外線（ＵＶ）、可視光など）であり得るエアインターフェース１１６を介してＷＴＲＵ１０２ａ、１０２ｂ、１０２ｃ、１０２ｄのうちの１つまたは複数と通信し得る。エアインターフェース１１６は、任意の好適な無線アクセス技術（ＲＡＴ）を使用して確立され得る。
【００１２】
より詳細には、上記のように、通信システム１００は、多元接続システムであり得、ＣＤＭＡ、ＴＤＭＡ、ＦＤＭＡ、ＯＦＤＭＡ、ＳＣ−ＦＤＭＡなどの１つまたは複数のチャネルアクセス方式を採用し得る。たとえば、ＲＡＮ１０４／１１３中の基地局１１４ａおよびＷＴＲＵ１０２ａ、１０２ｂ、１０２ｃは、広帯域ＣＤＭＡ（ＷＣＤＭＡ）を使用してエアインターフェース１１５／１１６を確立し得るユニバーサル移動体（電話）通信システム（ＵＭＴＳ）地上波無線アクセス（ＵＴＲＡ）などの無線技術を実装し得る。ＷＣＤＭＡは、高速パケットアクセス（ＨＳＰＡ）および／または発展型ＨＳＰＡ（ＨＳＰＡ＋）などの通信プロトコルを含み得る。ＨＳＰＡは、高速ダウンリンク（ＤＬ）パケットアクセス（ＨＳＤＰＡ）および／または高速アップリンク（ＵＬ）パケットアクセス（ＨＳＵＰＡ）を含み得る。
【００１３】
一実施形態では、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立し得る発展型ＵＭＴＳ地上波無線アクセス（Ｅ−ＵＴＲＡ）などの無線技術を実装し得る。
【００１４】
一実施形態では、基地局１１４ａおよびＷＴＲＵ１０２ａ、１０２ｂ、１０２ｃは、ＮＲを使用してエアインターフェース１１６を確立し得るＮＲ無線アクセスなどの無線技術を実装し得る。
【００１５】
一実施形態では、基地局１１４ａおよびＷＴＲＵ１０２ａ、１０２ｂ、１０２ｃは、複数の無線アクセス技術を実装し得る。たとえば、基地局１１４ａおよびＷＴＲＵ１０２ａ、１０２ｂ、１０２ｃは、たとえば、デュアル接続性（ＤＣ）原理を使用してＬＴＥ無線アクセスとＮＲ無線アクセスとを一緒に実装し得る。したがって、ＷＴＲＵ１０２ａ、１０２ｂ、１０２ｃによって利用されるエアインターフェースは、複数のタイプの無線アクセス技術および／または複数のタイプの基地局（たとえば、ｅＮＢおよびｇＮＢ）との間で送られる送信によって特徴づけられ得る。
【００１６】
他の実施形態では、基地局１１４ａおよびＷＴＲＵ１０２ａ、１０２ｂ、１０２ｃは、ＩＥＥＥ８０２．１１（すなわち、ワイヤレスフィデリティー（ＷｉＦｉ）、ＩＥＥＥ８０２．１６（すなわち、ワールドワイドインターオペラビリティフォーマイクロウェーブアクセス（ＷｉＭＡＸ））、ＣＤＭＡ２０００、ＣＤＭＡ２０００  ＩＸ、ＣＤＭＡ２０００  Ｅｖｏｌｕｔｉｏｎ  Ｄａｔａ  Ｏｎｌｙ／Ｅｖｏｌｕｔｉｏｎ  Ｄａｔａ  Ｏｐｔｉｍｉｚｅｄ（ＥＶ−ＤＯ）、Ｉｎｔｅｒｉｍ  Ｓｔａｎｄａｒｄ２０００（ＩＳ−２０００）、Ｉｎｔｅｒｉｍ  Ｓｔａｎｄａｒｄ９５（ＩＳ−９５）、Ｉｎｔｅｒｉｍ  Ｓｔａｎｄａｒｄ８５６（ＩＳ−８５６）、グローバルシステムフォーモバイルコミュニケーションズ（ＧＳＭ）、ＧＳＭ進化型高速データレート（ＥＤＧＥ）、ＧＳＭ  ＥＤＧＥ（ＧＥＲＡＮ）などの無線技術を実装し得る。
【００１７】
図１Ａ中の基地局１１４ｂは、たとえば、ワイヤレスルータ、ホームノードＢ、ホームｅノードＢ、またはアクセスポイントであり得、職場、家庭、ビークル、構内、産業設備、（たとえば、ドローンが使用するための）空中回廊、道路などの局所的エリアでのワイヤレス接続性を容易にすることのために任意の好適なＲＡＴを利用し得る。一実施形態では、基地局１１４ｂおよびＷＴＲＵ１０２ｃ、１０２ｄは、ワイヤレスローカルエリアネットワーク（ＷＬＡＮ）を確立するためにＩＥＥＥ８０２．１１などの無線技術を実装し得る。一実施形態では、基地局１１４ｂおよびＷＴＲＵ１０２ｃ、１０２ｄは、ワイヤレスパーソナルエリアネットワーク（ＷＰＡＮ）を確立するためにＩＥＥＥ８０２．１５などの無線技術を実装し得る。また別の実施形態中で、基地局１１４ｂおよびＷＴＲＵ１０２ｃ、１０２ｄは、ピコセルまたはフェムトセルを確立するためにセルラーベースのＲＡＴ（たとえば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用し得る。図１Ａに示すように、基地局１１４ｂは、インターネット１１０への直接接続を有し得る。したがって、基地局１１４ｂは、ＣＮ１０６／１１５を介してインターネット１１０にアクセスする必要がないことがある。
【００１８】
ＲＡＮ１０４／１１３は、ＷＴＲＵ１０２ａ、１０２ｂ、１０２ｃ、１０２ｄのうちの１つまたは複数に音声、データ、アプリケーション、および／またはボイスオーバーインターネットプロトコル（ＶｏＩＰ）サービスを与えるように構成された任意のタイプのネットワークであり得るＣＮ１０６／１１５と通信していることがある。データは、異なるスループット要件、レイテンシ要件、誤り耐性要件、信頼性要件、データスループット要件、モビリティ要件などの変動するサービス品質（ＱｏＳ）要件を有し得る。ＣＮ１０６／１１５は、呼の制御、課金サービス、モバイルロケーションベースのサービス、プリペイド発呼、インターネット接続性、ビデオ配信などを与え、および／またはユーザ認証などの高レベルなセキュリティ機能を実行し得る。図１Ａには示されていないが、ＲＡＮ１０４／１１３および／またはＣＮ１０６／１１５が、ＲＡＮ１０４／１１３と同じＲＡＴまたは異なるＲＡＴを採用する他のＲＡＮと直接的または間接的に通信していることがあることを諒解されよう。たとえば、ＮＲ無線技術を利用していることがあるＲＡＮ１０４／１１３に接続されることに加えて、ＣＮ１０６／１１５はまた、ＧＳＭ、ＵＭＴＳ、ＣＤＭＡ２０００、ＷｉＭＡＸ、Ｅ−ＵＴＲＡ、またはＷｉＦｉ無線技術を採用する別のＲＡＮ（図示せず）と通信していることがある。
【００１９】
ＣＮ１０６／１１５はまた、ＰＳＴＮ１０８、インターネット１１０、および／または他のネットワーク１１２にアクセスするためにＷＴＲＵ１０２ａ、１０２ｂ、１０２ｃ、１０２ｄのためのゲートウェイとして働き得る。ＰＳＴＮ１０８は、簡易電話サービス（ＰＯＴＳ）を与える回線交換電話網を含み得る。インターネット１１０は、ＴＣＰ／ＩＰインターネットプロトコルスイート中で伝送制御プロトコル（ＴＣＰ）、ユーザデータグラムプロトコル（ＵＤＰ）および／またはインターネットプロトコル（ＩＰ）などの共通の通信プロトコルを使用する相互接続されたコンピュータネットワークおよびデバイスのグローバルシステムを含み得る。ネットワーク１１２は、他のサービスプロバイダによって所有および／または動作されるワイヤードおよび／またはワイヤレス通信ネットワークを含み得る。たとえば、ネットワーク１１２は、ＲＡＮ１０４／１１３と同じＲＡＴまたは異なるＲＡＴを採用し得る１つまたは複数のＲＡＮに接続された別のＣＮを含み得る。
【００２０】
通信システム１００中でＷＴＲＵ１０２ａ、１０２ｂ、１０２ｃ、１０２ｄの一部または全部は、マルチモード能力を含み得る（たとえば、ＷＴＲＵ１０２ａ、１０２ｂ、１０２ｃ、１０２ｄは、異なるワイヤレスリンクを介して異なるワイヤレスネットワークと通信するための複数のトランシーバを含み得る）。たとえば、図１Ａに示すＷＴＲＵ１０２ｃは、セルラーベースの無線技術を採用し得る基地局１１４ａと通信し、ＩＥＥＥ８０２無線技術を採用し得る基地局１１４ｂと通信するように構成され得る。
【００２１】
図１Ｂは、例示的なＷＴＲＵ１０２を示すシステム図である。図１Ｂに示すように、ＷＴＲＵ１０２は、特に、プロセッサ１１８、トランシーバ１２０、送信／受信要素１２２、スピーカ／マイクロフォン１２４、キーパッド１２６、ディスプレイ／タッチパッド１２８、取外し不能メモリ１３０、取外し可能メモリ１３２、電源１３４、全地球測位システム（ＧＰＳ）チップセット１３６、および／または他の周辺機器１３８を含み得る。ＷＴＲＵ１０２が、実施形態に一致したままでありながら、上記の要素の任意の部分組合せを含み得ることを諒解されよう。
【００２２】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連付けられる１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他のタイプの集積回路（ＩＣ）、状態機械などであり得る。プロセッサ１１８は、信号コーディング、データ処理、電力制御、入出力処理、および／またはＷＴＲＵ１０２がワイヤレス環境において動作することを可能にする任意の他の機能を実行し得る。プロセッサ１１８は、送信／受信要素１２２に結合され得るトランシーバ１２０に結合され得る。図１Ｂに、別個の構成要素としてプロセッサ１１８とトランシーバ１２０とを示しているが、プロセッサ１１８とトランシーバ１２０とが電子パッケージまたはチップ中で一緒に統合され得ることを諒解されよう。
【００２３】
送信／受信要素１２２は、エアインターフェース１１６を介して基地局（たとえば、基地局１１４ａ）に信号を送信し、それから信号を受信するように構成され得る。たとえば、一実施形態では、送信／受信要素１２２は、ＲＦ信号を送信および／または受信するように構成されたアンテナであり得る。一実施形態では、送信／受信要素１２２は、たとえば、ＩＲ、ＵＶ、または可視光信号を送信および／または受信するように構成されたエミッタ／検出器であり得る。また別の実施形態では、送信／受信要素１２２は、ＲＦ信号と光信号との両方を送信および／または受信するように構成され得る。送信／受信要素１２２が、ワイヤレス信号の任意の組合せを送信および／または受信するように構成され得ることを諒解されよう。
【００２４】
送信／受信要素１２２が単一の要素として図１Ｂに示されているが、ＷＴＲＵ１０２は任意の数の送信／受信要素１２２を含み得る。より詳細には、ＷＴＲＵ１０２は、ＭＩＭＯ技術を採用し得る。したがって、一実施形態では、ＷＴＲＵ１０２は、エアインターフェース１１６を介してワイヤレス信号を送信および受信するための２つ以上の送信／受信要素１２２（たとえば、複数のアンテナ）を含み得る。
【００２５】
トランシーバ１２０は、送信／受信要素１２２によって送信されるべきである信号を変調し、送信／受信要素１２２によって受信された信号を復調するように構成され得る。上記のように、ＷＴＲＵ１０２は、マルチモード能力を有し得る。したがって、トランシーバ１２０は、ＷＴＲＵ１０２が、たとえば、ＮＲおよびＩＥＥＥ８０２．１１などの複数のＲＡＴを介して通信することを可能にするための複数のトランシーバを含み得る。
【００２６】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）ディスプレイユニットまたは有機発光ダイオード（ＯＬＥＤ）ディスプレイユニット）に結合され得、それらからユーザ入力データを受信し得る。プロセッサ１１８はまた、スピーカ／マイクロフォン１２４、キーパッド１２６、および／またはディスプレイ／タッチパッド１２８にユーザデータを出力し得る。さらに、プロセッサ１１８は、取外し不能メモリ１３０および／または取外し可能メモリ１３２などの任意のタイプの好適なメモリから情報にアクセスし、それの中にデータを記憶し得る。取外し不能メモリ１３０は、ランダムアクセスメモリ（ＲＡＭ）、読取り専用メモリ（ＲＯＭ）、ハードディスク、または他のタイプのメモリストレージデバイスを含み得る。取外し可能メモリ１３２は、加入者識別モジュール（ＳＩＭ）カード、メモリスティック、セキュアデジタル（ＳＤ）メモリカードなどを含み得る。他の実施形態では、プロセッサ１１８は、サーバまたはホームコンピュータ（図示せず）上など、ＷＴＲＵ１０２上に物理的に位置しないメモリからの情報にアクセスし、その中にデータを記憶し得る。
【００２７】
プロセッサ１１８は、電源１３４から電力を受電し得、ＷＴＲＵ１０２中の他の構成要素に電力を分散および／または制御するように構成され得る。電源１３４は、ＷＴＲＵ１０２に電力供給するための任意の好適なデバイスであり得る。たとえば、電源１３４は、１つまたは複数の乾電池バッテリ（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含み得る。
【００２８】
プロセッサ１１８はまた、ＷＴＲＵ１０２の現在のロケーションに関するロケーション情報（たとえば、経度および緯度）を与えるように構成され得るＧＰＳチップセット１３６に結合され得る。ＧＰＳチップセット１３６からの情報に加えて、または、それの代わりに、ＷＴＲＵ１０２は、基地局（たとえば、基地局１１４ａ、１１４ｂ）からエアインターフェース１１６を介してロケーション情報を受信し、および／または２つ以上の近くの基地局から受信している信号のタイミングに基づいてそれのロケーションを決定し得る。ＷＴＲＵ１０２が、実施形態に一致したままでありながら、任意の好適なロケーション決定方法によってロケーション情報を捕捉し得ることを諒解されよう。
【００２９】
プロセッサ１１８は、追加の特徴、機能および／またはワイヤードもしくはワイヤレス接続性を与える１つまたは複数のソフトウェアおよび／またはハードウェアモジュールを含み得る他の周辺機器１３８にさらに結合され得る。たとえば、周辺機器１３８は、加速度計、ｅコンパス、衛星トランシーバ、（写真および／またはビデオのための）デジタルカメラ、ユニバーサルシリアルバス（ＵＳＢ）ポート、振動デバイス、テレビジョントランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ、バーチャルリアリティおよび／または拡張現実（ＶＲ／ＡＲ）デバイス、アクティビティトラッカなどを含み得る。周辺機器１３８は、１つまたは複数のセンサを含み得、センサは、ジャイロスコープ、加速度計、ホール効果センサ、磁力計、向きセンサ、近接センサ、温度センサ、時間センサ、ジオロケーションセンサ、高度計、光センサ、タッチセンサ、磁力計、気圧計、ジェスチャセンサ、生体センサ、および／または湿度センサのうちの１つまたは複数であり得る。
【００３０】
ＷＴＲＵ１０２は、（（たとえば、送信のための）ＵＬと（たとえば、受信のための）ダウンリンクとの両方のための特定のサブフレームに関連付けられた）信号の一部または全部の送信および受信が並列および／または同時であり得る全二重無線を含み得る。全二重無線は、ハードウェア（たとえば、チョーク）またはプロセッサ（たとえば、別個のプロセッサ（図示せず）またはビアプロセッサ１１８）を介した信号処理のいずれかを介して自己干渉をなくすかまたは実質的に小さくするために干渉管理ユニット１３９を含み得る。一実施形態では、ＷＴＲＵ１０２は、（たとえば、（たとえば、送信のための）ＵＬまたは（たとえば、受信のための）ダウンリンクのいずれかのための特定のサブフレームに関連付けられた）信号の一部または全部の送信および受信のための半二重無線を含み得る。
【００３１】
図１Ｃは、一実施形態による、ＲＡＮ１０４およびＣＮ１０６を示すシステム図である。上記のように、ＲＡＮ１０４は、エアインターフェース１１６を介してＷＴＲＵ１０２ａ、１０２ｂ、１０２ｃと通信するためにＥ−ＵＴＲＡ無線技術を採用し得る。ＲＡＮ１０４はまた、ＣＮ１０６と通信していることがある。
【００３２】
ＲＡＮ１０４は、ｅノードＢ１６０ａ、１６０ｂ、１６０ｃを含み得るが、ＲＡＮ１０４が、実施形態に一致したままでありながら、任意の数のｅノードＢを含み得ることを諒解されよう。ｅノードＢ１６０ａ、１６０ｂ、１６０ｃはそれぞれ、エアインターフェース１１６を介してＷＴＲＵ１０２ａ、１０２ｂ、１０２ｃと通信するための１つまたは複数のトランシーバを含み得る。一実施形態では、ｅノードＢ１６０ａ、１６０ｂ、１６０ｃは、ＭＩＭＯ技術を実装し得る。したがって、ｅノードＢ１６０ａは、たとえば、ＷＴＲＵ１０２ａにワイヤレス信号を送信するおよび／またはそれからワイヤレス信号を受信するために複数のアンテナを使用し得る。
【００３３】
ｅノードＢ１６０ａ、１６０ｂ、１６０ｃの各々は、特定のセル（図示せず）に関連付けられ得、無線リソース管理決定、ハンドオーバ決定、ＵＬおよび／またはＤＬにおけるユーザのスケジューリングなどを扱うように構成され得る。図１Ｃに示すように、ｅノードＢ１６０ａ、１６０ｂ、１６０ｃは、Ｘ２インターフェースを介して互いと通信し得る。
【００３４】
図１Ｃに示すＣＮ１０６は、モビリティ管理エンティティ（ＭＭＥ）１６２と、サービングゲートウェイ（ＳＧＷ）１６４と、パケットデータネットワーク（ＰＤＮ）ゲートウェイ（またはＰＧＷ）１６６とを含み得る。上記の要素の各々がＣＮ１０６の一部として示されているが、これらの要素のいずれかがＣＮオペレータ以外のエンティティによって所有および／または動作され得ることを諒解されよう。
【００３５】
ＭＭＥ１６２は、ＳＩインターフェースを介してＲＡＮ１０４中のｅノードＢ１６２ａ、１６２ｂ、１６２ｃの各々に接続され得、制御ノードとして働き得る。たとえば、ＭＭＥ１６２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの初期アタッチ（initial attach）中に特定のサービングゲートウェイを選択することなどを担当し得る。ＭＭＥ１６２は、ＲＡＮ１０４とＧＳＭおよび／またはＷＣＤＭＡなどの他の無線技術を採用する他のＲＡＮ（図示せず）との間で切り替えるための制御プレーン機能を与え得る。
【００３６】
ＳＧＷ１６４は、ＳＩインターフェースを介してＲＡＮ１０４中のｅノードＢ１６０ａ、１６０ｂ、１６０ｃの各々に接続され得る。ＳＧＷ１６４は、概して、ＷＴＲＵ１０２ａ、１０２ｂ、１０２ｃとの間でユーザデータパケットをルーティングおよび転送し得る。ＳＧＷ１６４は、ｅノードＢ間のハンドオーバ中にユーザプレーンをアンカリングすること、ＤＬデータがＷＴＲＵ１０２ａ、１０２ｂ、１０２ｃのために利用可能であるときにページングをトリガすること、ＷＴＲＵ１０２ａ、１０２ｂ、１０２ｃのコンテキストを管理および記憶することなどの他の機能を実行し得る。
【００３７】
ＳＧＷ１６４は、ＷＴＲＵ１０２ａ、１０２ｂ、１０２ｃとＩＰ対応デバイスとの間の通信を容易にするためにインターネット１１０などのパケット交換ネットワークへのアクセスをＷＴＲＵ１０２ａ、１０２ｂ、１０２ｃに与え得るＰＧＷ１６６に接続され得る。
【００３８】
ＣＮ１０６は、他のネットワークとの通信を容易にし得る。たとえば、ＣＮ１０６は、ＷＴＲＵ１０２ａ、１０２ｂ、１０２ｃと従来の固定通信デバイスとの間の通信を容易にするためにＰＳＴＮ１０８などの回線交換ネットワークへのアクセスをＷＴＲＵ１０２ａ、１０２ｂ、１０２ｃに与え得る。たとえば、ＣＮ１０６は、ＣＮ１０６とＰＳＴＮ１０８との間のインターフェースとして働くＩＰゲートウェイ（たとえば、ＩＰマルチメディアサブシステム（ＩＭＳ）サーバ）を含み得るかまたはそれと通信し得る。さらに、ＣＮ１０６は、他のサービスプロバイダによって所有および／または動作される他のワイヤードおよび／またはワイヤレスネットワークを含み得る他のネットワーク１１２へのアクセスをＷＴＲＵ１０２ａ、１０２ｂ、１０２ｃに与え得る。
【００３９】
ＷＴＲＵがワイヤレス端末として図１Ａ〜図１Ｄに記載されているが、そのような端末が（たとえば、一時的にまたは永続的に）使用し得るいくつかの代表的な実施形態では、ワイヤード通信が通信ネットワークとインターフェースすると考えられる。
【００４０】
代表的な実施形態では、他のネットワーク１１２は、ＷＬＡＮであり得る。
【００４１】
インフラストラクチャ基本サービスセット（ＢＳＳ）モードのＷＬＡＮは、ＢＳＳのためのアクセスポイント（ＡＰ）とＡＰに関連付けられた１つまたは複数の局（ＳＴＡ）とを有し得る。ＡＰは、配信システム（ＤＳ）またはＢＳＳを出入りするトラフィックを搬送する別のタイプのワイヤード／ワイヤレスネットワークへのアクセスまたはインターフェースを有し得る。ＢＳＳの外部から発信するＳＴＡへのトラフィックは、ＡＰを通して到着し得、ＳＴＡに送出され得る。ＢＳＳの外部の宛先にＳＴＡから発信されたトラフィックは、それぞれの宛先に配信されるためにＡＰに送られ得る。ＢＳＳ内のＳＴＡ間のトラフィックは、ＡＰを通して送られることがあり、たとえば、ソースＳＴＡがＡＰにトラフィックを送り得る場合、ＡＰは、宛先ＳＴＡにトラフィックを送出し得る。ＢＳＳ内のＳＴＡ間のトラフィックは、ピアツーピアトラフィックと見なされるおよび／またはそう呼ばれることがある。ピアツーピアトラフィックは、ダイレクトリンクセットアップ（ＤＬＳ）を用いてソースＳＴＡと宛先ＳＴＡとの間で（たとえば、それらの間で直接）送られ得る。いくつかの代表的な実施形態では、ＤＬＳは、８０２．１１ｅＤＬＳまたは８０２．１１ｚトンネリングされたＤＬＳ（tunneled DLS）（ＴＤＬＳ）を使用し得る。独立ＢＳＳ（ＩＢＳＳ）モードを使用するＷＬＡＮはＡＰを有しないことがあり、ＩＢＳＳ内のまたはそれを使用するＳＴＡ（たとえば、ＳＴＡのすべて）は互いに直接通信し得る。ＩＢＳＳ通信モードは、時々、本明細書では「アドホック」通信モードと呼ぶことがある。
【００４２】
８０２．１１ａｃインフラストラクチャ動作モードまたは同様の動作モードを使用するとき、ＡＰは、１次チャネルなどの固定チャネル上でビーコンを送信し得る。１次チャネルは、固定幅（たとえば、２０ＭＨｚ幅の帯域幅）であるか、またはシグナリングを介して動的に設定された幅であり得る。１次チャネルは、ＢＳＳの動作チャネルであり得、ＡＰとの接続を確立するためにＳＴＡによって使用され得る。いくつかの代表的な実施形態では、キャリア検知多重アクセス／衝突回避（ＣＳＭＡ／ＣＡ）が、たとえば８０２．１１システム中に実装され得る。ＣＳＭＡ／ＣＡでは、ＡＰを含むＳＴＡ（たとえば、あらゆるＳＴＡ）が１次チャネルを感知し得る。１次チャネルが特定のＳＴＡによって感知／検出されるおよび／またはビジーであると決定される場合、特定のＳＴＡはバックオフし得る。１つのＳＴＡ（たとえば、ただ１つの局）が、所与のＢＳＳ中で任意の所与の時間に送信し得る。
【００４３】
高スループット（ＨＴ）のＳＴＡは、４０ＭＨｚ幅のチャネルを形成するために、たとえば、隣接するまたは隣接していない２０ＭＨｚのチャネルとの１次の２０ＭＨｚのチャネルの組合せを介した通信のために４０ＭＨｚ幅のチャネルを使用し得る。
【００４４】
極高スループット（ＶＨＴ）のＳＴＡは、２０ＭＨｚ、４０ＭＨｚ、８０ＭＨｚ、および／または１６０ＭＨｚ幅のチャネルをサポートし得る。４０ＭＨｚおよび／または８０ＭＨｚのチャネルは、連続する２０ＭＨｚのチャネルを組み合わせることによって形成され得る。１６０ＭＨｚのチャネルは、８つの連続する２０ＭＨｚのチャネルを組み合わせることによって、または８０＋８０構成と呼ばれることがある２つの不連続の８０ＭＨｚのチャネルを組み合わせることによって形成され得る。８０＋８０構成では、データは、チャネル符号化後に、２つのストリームにデータを分割し得るセグメントパーサを通してパスされ得る。逆高速フーリエ変換（ＩＦＦＴ）処理と時間領域処理とが別々に各ストリームに対して行われ得る。ストリームは、２つの８０ＭＨｚのチャネル上にマッピングされ得、データは、送信ＳＴＡによって送信され得る。受信ＳＴＡの受信機では、８０＋８０構成について上記で説明した動作が逆行され得、組み合わされたデータが媒体アクセス制御（ＭＡＣ）に送られ得る。
【００４５】
８０２．１１ａｆおよび８０２．１１ａｈによってサブ１ＧＨｚ動作モードがサポートされる。チャネル動作帯域幅およびキャリアは、８０２．１１ｎおよび８０２．１１ａｃで使用されるものと比較して８０２．１１ａｆおよび８０２．１１ａｈでは低減される。８０２．１１ａｆは、ＴＶホワイトスペース（ＴＶＷＳ）スペクトル中の５ＭＨｚ、１０ＭＨｚ、および２０ＭＨｚの帯域幅をサポートし、８０２．１１ａｈは、非ＴＶＷＳスペクトルを使用して１ＭＨｚ、２ＭＨｚ、４ＭＨｚ、８ＭＨｚ、および１６ＭＨｚの帯域幅をサポートする。代表的な実施形態によれば、８０２．１１ａｈは、マクロカバレージエリア中のＭＴＣデバイスなどのメータ型制御／マシン型通信をサポートし得る。ＭＴＣデバイスは、いくつかの能力、たとえば、いくつかのおよび／または限定された帯域幅のサポート（たとえば、それだけのサポート）を含む限定された能力を有し得る。ＭＴＣデバイスは、（たとえば、非常に長いバッテリ寿命を維持するために）しきい値を上回るバッテリ寿命をもつバッテリを含み得る。
【００４６】
８０２．１１ｎ、８０２．１１ａｃ、８０２．１１ａｆ、および８０２．１１ａｈなどの複数のチャネルおよびチャネル帯域幅をサポートし得るＷＬＡＮシステムは、１次チャネルとして指定され得るチャネルを含む。１次チャネルは、ＢＳＳ中のすべてのＳＴＡによってサポートされる最大の共通動作帯域幅に等しい帯域幅を有し得る。１次チャネルの帯域幅は、ＢＳＳ中で動作するすべてのＳＴＡの中から、最小の帯域幅動作モードをサポートするＳＴＡによって設定および／または限定され得る。８０２．１１ａｈの例では、ＡＰおよびＢＳＳ中の他のＳＴＡが、２ＭＨｚ、４ＭＨｚ、８ＭＨｚ、１６ＭＨｚ、および／または他のチャネル帯域幅動作モードをサポートする場合でも、１次チャネルは、１ＭＨｚモードをサポートする（たとえば、それだけをサポートする）ＳＴＡ（たとえば、ＭＴＣタイプのデバイス）について１ＭＨｚ幅であり得る。キャリア検知および／またはネットワーク割振りベクトル（ＮＡＶ）の設定は、１次チャネルのステータスに依存し得る。たとえば（１ＭＨｚ動作モードだけをサポートする）ＳＴＡのために１次チャネルがビジーである場合、周波数帯域の大部分がアイドルのままであり、利用可能であり得る場合であっても、ＡＰに利用可能な周波数帯域全体を送信することがビジーであると見なされ得る。
【００４７】
米国では、８０２．１１ａｈによって使用され得る利用可能な周波数帯域は、９０２ＭＨｚから９２８ＭＨｚまである。韓国では、利用可能な周波数帯域は、９１７．５ＭＨｚから９２３．５ＭＨｚまである。日本では、利用可能な周波数帯域は、９１６．５ＭＨｚから９２７．５ＭＨｚまである。８０２．１１ａｈのために利用可能な総帯域幅は、国コードに応じて６ＭＨｚから２６ＭＨｚである。
【００４８】
図１Ｄは、一実施形態による、ＲＡＮ１１３およびＣＮ１１５を示すシステム図である。上記のように、ＲＡＮ１１３は、エアインターフェース１１６を介してＷＴＲＵ１０２ａ、１０２ｂ、１０２ｃと通信するためにＮＲ無線技術を採用し得る。ＲＡＮ１１３はまた、ＣＮ１１５と通信していることがある。
【００４９】
ＲＡＮ１１３は、ｇＮＢ１８０ａ、１８０ｂ、１８０ｃを含み得るが、ＲＡＮ１１３が、実施形態に一致したままでありながら、任意の数のｇＮＢを含み得ることを諒解されよう。ｇＮＢ１８０ａ、１８０ｂ、１８０ｃはそれぞれ、エアインターフェース１１６を介してＷＴＲＵ１０２ａ、１０２ｂ、１０２ｃと通信するための１つまたは複数のトランシーバを含み得る。一実施形態では、ｇＮＢ１８０ａ、１８０ｂ、１８０ｃは、ＭＩＭＯ技術を実装し得る。たとえば、ｇＮＢ１８０ａ、１０８ｂは、ｇＮＢ１８０ａ、１８０ｂ、１８０ｃに信号を送信し、および／またはそれから信号を受信するためにビームフォーミングを利用し得る。したがって、ｇＮＢ１８０ａは、たとえば、ＷＴＲＵ１０２ａにワイヤレス信号を送信し、および／またはそれからワイヤレス信号を受信するために複数のアンテナを使用し得る。一実施形態では、ｇＮＢ１８０ａ、１８０ｂ、１８０ｃは、キャリアアグリゲーション技術を実装し得る。たとえば、ｇＮＢ１８０ａは、ＷＴＲＵ１０２ａ（図示せず）に複数コンポーネントキャリアを送信し得る。これらのコンポーネントキャリアのサブセットは、無認可スペクトル上にあり得るが、残りのコンポーネントキャリアは、認可スペクトル上にあり得る。一実施形態では、ｇＮＢ１８０ａ、１８０ｂ、１８０ｃは、協調マルチポイント（ＣｏＭＰ）技術を実装し得る。たとえば、ＷＴＲＵ１０２ａは、ｇＮＢ１８０ａおよびｇＮＢ１８０ｂ（および／またはｇＮＢ１８０ｃ）から協調送信を受信し得る。
【００５０】
ＷＴＲＵ１０２ａ、１０２ｂ、１０２ｃは、スケーラブルなニューメロロジーに関連付けられた送信を使用してｇＮＢ１８０ａ、１８０ｂ、１８０ｃと通信し得る。たとえば、ＯＦＤＭシンボル間隔および／またはＯＦＤＭサブキャリア間隔は、送信、セル、および／またはワイヤレス送信スペクトルの部分ごとに変動し得る。ＷＴＲＵ１０２ａ、１０２ｂ、１０２ｃは、（たとえば、様々な数のＯＦＤＭシンボルを含んでいるおよび／または変動する長さの絶対時間の間続く）様々なまたはスケーラブルな長さのサブフレームまたは送信時間間隔（ＴＴＩ）を使用してｇＮＢ１８０ａ、１８０ｂ、１８０ｃと通信し得る。
【００５１】
ｇＮＢ１８０ａ、１８０ｂ、１８０ｃは、スタンドアロン構成および／または非スタンドアロン構成中のＷＴＲＵ１０２ａ、１０２ｂ、１０２ｃと通信するように構成され得る。スタンドアロン構成では、ＷＴＲＵ１０２ａ、１０２ｂ、１０２ｃは、他のＲＡＮ（たとえば、ｅノードＢ１６０ａ、１６０ｂ、１６０ｃなど）にアクセスすることもなしにｇＮＢ１８０ａ、１８０ｂ、１８０ｃと通信し得る。スタンドアロン構成では、ＷＴＲＵ１０２ａ、１０２ｂ、１０２ｃは、モビリティアンカーポイントとしてｇＮＢ１８０ａ、１８０ｂ、１８０ｃのうちの１つまたは複数を利用し得る。スタンドアロン構成では、ＷＴＲＵ１０２ａ、１０２ｂ、１０２ｃは、無認可帯域中の信号を使用してｇＮＢ１８０ａ、１８０ｂ、１８０ｃと通信し得る。非スタンドアロン構成では、ＷＴＲＵ１０２ａ、１０２ｂ、１０２ｃは、ｅノードＢ１６０ａ、１６０ｂ、１６０ｃなどの別のＲＡＮとも通信しながら／それにも接続しながらｇＮＢ１８０ａ、１８０ｂ、１８０ｃと通信し得る／それに接続し得る。たとえば、ＷＴＲＵ１０２ａ、１０２ｂ、１０２ｃは、１つまたは複数のｇＮＢ１８０ａ、１８０ｂ、１８０ｃおよび１つまたは複数のｅノードＢ１６０ａ、１６０ｂ、１６０ｃと実質的に同時に通信するためにＤＣ原理を実装し得る。非スタンドアロン構成では、ｅノードＢ１６０ａ、１６０ｂ、１６０ｃは、ＷＴＲＵ１０２ａ、１０２ｂ、１０２ｃのためのモビリティアンカーとして働き得、ｇＮＢ１８０ａ、１８０ｂ、１８０ｃは、ＷＴＲＵ１０２ａ、１０２ｂ、１０２ｃをサービスするための追加のカバレージおよび／またはスループットを与え得る。
【００５２】
ｇＮＢ１８０ａ、１８０ｂ、１８０ｃの各々は、特定のセル（図示せず）に関連付けられ得、無線リソース管理の決定、ハンドオーバの決定、ＵＬおよび／またはＤＬにおけるユーザのスケジューリング、ネットワークスライシングのサポート、デュアル接続性、ＮＲとＥ−ＵＴＲＡとの間の相互接続、ユーザプレーン機能（ＵＰＦ）１８４ａ、１８４ｂに向けたユーザプレーンデータのルーティング、アクセスおよびモビリティ管理機能（ＡＭＦ）１８２ａ、１８２ｂに向けた制御プレーン情報のルーティングなどを扱うように構成され得る。図１Ｄに示すように、ｇＮＢ１８０ａ、１８０ｂ、１８０ｃは、Ｘｎインターフェースを介して互いと通信し得る。
【００５３】
図１Ｄに示すＣＮ１１５は、少なくとも１つのＡＭＦ１８２ａ、１８２ｂと、少なくとも１つのＵＰＦ１８４ａ、１８４ｂと、少なくとも１つのセッション管理機能（ＳＭＦ）１８３ａ、１８３ｂと、場合によっては、データネットワーク（ＤＮ）１８５ａ、１８５ｂとを含み得る。上記の要素の各々がＣＮ１１５の一部として示されているが、これらの要素のいずれかがＣＮオペレータ以外のエンティティによって所有および／または動作され得ることを諒解されよう。
【００５４】
ＡＭＦ１８２ａ、１８２ｂは、Ｎ２インターフェースを介してＲＡＮ１１３中のｇＮＢ１８０ａ、１８０ｂ、１８０ｃのうちの１つまたは複数に接続され得、制御ノードとして働き得る。たとえば、ＡＭＦ１８２ａ、１８２ｂは、ＷＴＲＵ１０２ａ、１０２ｂ、１０２ｃのユーザを認証すること、ネットワークスライシング（たとえば、異なる要件をもつ異なるＰＤＵセッションの扱い）のサポート、特定のＳＭＦ１８３ａ、１８３ｂを選択すること、登録エリアの管理、ＮＡＳシグナリングの終了、モビリティ管理などを担当し得る。ネットワークスライシングは、ＷＴＲＵ１０２ａ、１０２ｂ、１０２ｃによって利用されるサービスのタイプに基づいてＷＴＲＵ１０２ａ、１０２ｂ、１０２ｃのＣＮのサポートをカスタマイズするために、ＡＭＦ１８２ａ、１８２ｂによって使用され得る。たとえば、異なるネットワークスライスは、高信頼低遅延（ＵＲＬＬＣ）アクセスに依拠するサービス、拡張大規模モバイルブロードバンド（enhanced massive mobile broadband）（ｅＭＢＢ）アクセスに依拠するサービス、マシン型通信（ＭＴＣ）アクセスのサービスなどの異なるユースケースのために確立され得る。ＡＭＦ１８２ａ／１８２ｂは、ＲＡＮ１１３とＬＴＥ、ＬＴＥ−Ａ、ＬＴＥ−Ａ  Ｐｒｏ、および／またはＷｉＦｉなどの非３ＧＰＰアクセス技術などの他の無線技術を採用する他のＲＡＮ（図示せず）との間で切り替えるための制御プレーン機能を与え得る。
【００５５】
ＳＭＦ１８３ａ、１８３ｂは、Ｎ１１インターフェースを介してＣＮ１１５中のＡＭＦ１８２ａ、１８２ｂに接続され得る。ＳＭＦ１８３ａ、１８３ｂはまた、Ｎ４インターフェースを介してＣＮ１１５中のＵＰＦ１８４ａ、１８４ｂに接続され得る。ＳＭＦ１８３ａ、１８３ｂは、ＵＰＦ１８４ａ、１８４ｂを選択および制御し、ＵＰＦ１８４ａ、１８４ｂを通してトラフィックのルーティングを構成し得る。ＳＭＦ１８３ａ、１８３ｂは、ＵＥのＩＰアドレスを管理し、割り振ること、ＰＤＵセッションを管理すること、ポリシーの実施およびＱｏＳを制御すること、ダウンリンクデータの通知を与えることなどの他の機能を実行し得る。ＰＤＵセッションのタイプは、ＩＰベースのもの、非ＩＰベースのもの、イーサネットベースのものなどであり得る。
【００５６】
ＵＰＦ１８４ａ、１８４ｂは、ＷＴＲＵ１０２ａ、１０２ｂ、１０２ｃとＩＰ対応デバイスとの間の通信を容易にするためにインターネット１１０などのパケット交換ネットワークへのアクセスをＷＴＲＵ１０２ａ、１０２ｂ、１０２ｃに与え得るＮ３インターフェースを介してＲＡＮ１１３中のｇＮＢ１８０ａ、１８０ｂ、１８０ｃのうちの１つまたは複数に接続され得る。ＵＰＦ１８４ａ、１８４ｂは、パケットをルーティングおよび転送すること、ユーザプレーンのポリシーを強制すること、マルチホームＰＤＵセッションをサポートすること、ユーザプレーンＱｏＳを扱うこと、ダウンリンクパケットをバッファリングすること、モビリティアンカリングを与えることなどの他の機能を実行し得る。
【００５７】
ＣＮ１１５は、他のネットワークとの通信を容易にし得る。たとえば、ＣＮ１１５は、ＣＮ１１５とＰＳＴＮ１０８との間のインターフェースとして働くＩＰゲートウェイ（たとえば、ＩＰマルチメディアサブシステム（ＩＭＳ）サーバ）を含み得るかまたはそれと通信し得る。さらに、ＣＮ１１５は、他のサービスプロバイダによって所有および／または動作される他のワイヤードおよび／またはワイヤレスネットワークを含み得る他のネットワーク１１２へのアクセスをＷＴＲＵ１０２ａ、１０２ｂ、１０２ｃに与え得る。一実施形態では、ＷＴＲＵ１０２ａ、１０２ｂ、１０２ｃは、ＵＰＦ１８４ａ、１８４ｂへのＮ３インターフェースとＵＰＦ１８４ａ、１８４ｂとＤＮ１８５ａ、１８５ｂとの間のＮ６インターフェースとを介してＵＰＦ１８４ａ、１８４ｂを通してローカルデータネットワーク（ＤＮ）１８５ａ、１８５ｂに接続され得る。
【００５８】
図１Ａ〜図１Ｄおよび図１Ａ〜図１Ｄの対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または本明細書で説明する任意の他のデバイスのうちの１つまたは複数に関して本明細書で説明する機能のうちの１つもしくは複数またはすべては、１つまたは複数のエミュレーションデバイス（図示せず）によって実行され得る。エミュレーションデバイスは、本明細書で説明する機能のうちの１つもしくは複数またはすべてをエミュレートするように構成された１つまたは複数のデバイスであり得る。たとえば、エミュレーションデバイスは、他のデバイスをテストする、ならびに／またはネットワークおよび／もしくはＷＴＲＵ機能をシミュレートするために使用され得る。
【００５９】
エミュレーションデバイスは、ラボ環境でおよび／またはオペレータネットワーク環境で他のデバイスの１つまたは複数のテストを実施するように設計され得る。たとえば、１つまたは複数のエミュレーションデバイスは、通信ネットワーク内の他のデバイスをテストするためにワイヤードおよび／またはワイヤレス通信ネットワークの一部として完全にまたは部分的に実装および／または展開されながら、１つもしくは複数またはすべての機能を実行し得る。１つまたは複数のエミュレーションデバイスは、ワイヤードおよび／またはワイヤレス通信ネットワークの一部として一時的に実装／展開されながら、１つもしくは複数またはすべての機能を実行し得る。エミュレーションデバイスは、オーバージエアワイヤレス通信を使用してテストするおよび／またはテストを実行するために別のデバイスに直接結合され得る。
【００６０】
１つまたは複数のエミュレーションデバイスは、ワイヤードおよび／またはワイヤレス通信ネットワークの一部として実装／展開されることなしに、すべてを含む１つまたは複数の機能を実行し得る。たとえば、エミュレーションデバイスは、１つまたは複数の構成要素のテストを実施するために試験所ならびに／または展開されていない（たとえば、テスト用の）ワイヤードおよび／もしくはワイヤレス通信ネットワーク中のテストシナリオで利用され得る。１つまたは複数のエミュレーションデバイスは、テスト機器であり得る。データを送信および／または受信するためにエミュレーションデバイスによって、直接ＲＦ結合および／または（たとえば、１つまたは複数のアンテナを含み得る）ＲＦ回路を介したワイヤレス通信が使用され得る。
【００６１】
一実施形態では、ＷＴＲＵは、第５世代（５Ｇ）の技術上で動作し得る。５Ｇエアインターフェースは、改善されたブロードバンドのパフォーマンス（ＩＢＢ）、産業用制御および通信（ＩＣＣ）およびビークルツーエブリシング（Ｖ２Ｘ）またはビークルツービークル（Ｖ２Ｖ）などの車両アプリケーション、大量のマシン型通信（ｍＭＴＣ）の非網羅的な使用を有し得る。これらの例示的な使用は、本明細書でさらに説明するエアインターフェースの、超低送信レイテンシ（ＵＬＬＣまたはＬＬＣ）のサポート、超高信頼送信（ＵＲＣ）のサポート、および／または（狭帯域動作を含む）ＭＴＣ動作のサポートの要件を有し得る。
【００６２】
ＬＬＣのサポートは、たとえば、１００μｓと２５０μｓ（以下）との間の範囲での送信時間間隔（ＴＴＩ）のサポートを次に必要とし得る１ｍｓのラウンドトリップ時間（ＲＴＴ）をもつエアインターフェースレイテンシを伴い得る。超低アクセスレイテンシのサポートはまた、初期システムアクセスから第１のユーザプレーンデータユニットの送信の完了までの時間として定義される考慮事項である。たとえば、ＩＣおよびＶ２Ｘは、１０ｍｓよりも短いエンドツーエンド（ｅ２ｅ）のレイテンシを必要とし得る。
【００６３】
ＵＲＣのサポートは、ＬＴＥシステムと比較して改善された送信信頼性を伴い得る。たとえば、１つのターゲットは、９９．９９９％の送信の成功およびサービスアベイラビリティである。別の考慮事項は、０〜５００ｋｍ／ｈの例示的な範囲での速度でのモビリティのサポートである。ＩＣおよびＶ２Ｘは、１０ｅ-6未満のパケットロス率（ＰＬＲ）を必要とし得る。
【００６４】
（狭帯域動作を含む）ＭＴＣ動作のサポートは、（たとえば、２００ｋＨｚ未満を使用する）狭帯域動作、延長されたバッテリ寿命（たとえば、最長１５年の自律性）、および小規模のまれなデータ送信の最小通信オーバーヘッド（たとえば、数秒から数時間のアクセスレイテンシをもつ１〜１００ｋｂｐｓの範囲での低データレート）をサポートするエアインターフェースを伴い得る。
【００６５】
５Ｇなどのワイヤレス通信技術では、ＷＴＲＵは、１つまたは複数のスペクトル動作モードＳＯＭに従って送信を実行するように構成され得る。たとえば、ＳＯＭは、特定のＴＴＩ持続時間、特定の初期電力レベル、特定のＨＡＲＱ処理タイプ、成功したＨＡＲＱ受信／送信の特定の上限、特定の送信モード、特定の物理チャネル（アップリンクまたはダウンリンク）、特定の波形タイプまたは、さらに、特定のＲＡＴによる送信（たとえば、レガシーＬＴＥまたは５Ｇの送信方法）のうちの少なくとも１つを使用する送信に対応し得る。ＳＯＭは、サービス品質（ＱｏＳ）レベルおよび／または関係する態様、たとえば、最大／ターゲットレイテンシ、最大／ターゲットブロック誤り率（ＢＬＥＲ）または同様のものに対応し得る。ＳＯＭは、スペクトルエリアにおよび／または特定の制御チャネルもしくは（探索空間、ダウンリンク制御情報（ＤＣＩ）タイプなどを含む）それの態様に対応し得る。たとえば、ＷＴＲＵは、ＵＲＣサービスタイプ、ＬＬＣサービスタイプおよびＭＢＢサービスタイプの各々についてＳＯＭで構成され得る。ＷＴＲＵは、たとえば、（本明細書でさらに説明する）公称システム帯域幅中などのシステムに関連付けられたスペクトルの一部分中にシステムアクセスについておよび／またはＬ３制御シグナリング（たとえば、無線リソース制御（ＲＲＣ））の送信／受信についてのＳＯＭの構成を有し得る。
【００６６】
５Ｇなどのワイヤレス通信技術では、マルチキャリア信号がサポートされ得る。比較のために、ＬＴＥは、直交周波数分割多重（ＯＦＤＭ）またはＳＣ−ＦＤＭＡなどのマルチキャリア信号を採用する。マルチキャリア信号の使用は、高いスペクトル効率と、キャリア上でのユーザの効率的な多重化と、実装上の効率とを生じ得る。マルチキャリア信号は、サブキャリア間隔、シンボル持続時間、および／または（適用可能なとき）サイクリックプレフィックスもしくは時間ガード持続時間などの限られた数のパラメータによって特徴づけられ得る。
【００６７】
ＬＴＥなどのワイヤレス通信技術では、適用可能であり得る本明細書で説明するパラメータの有限の小数の組合せがあり得る。たとえば、ダウンリンクでは、サブキャリア間隔は、１５ｋＨｚに設定され得（マルチメディアブロードキャストマルチキャストサービス（ＭＢＭＳ）に７．５ｋＨｚの値も指定されるが、いくつかの構成では完全にはサポートされないことがある）、信号のタイプは、ＯＦＤＭであり得る。アップリンクでは、サブキャリア間隔は、より小さい値（７．５ｋＨｚおよび１．２５ｋＨｚ）を使用し得る物理ランダムアクセスチャネル（ＰＲＡＣＨ）を除くすべての信号およびチャネルについて１５ｋＨｚに設定され得る。アップリンク信号のタイプは、シングルキャリア周波数分割多重（ＳＣ−ＦＤＭ）であり得る。ＬＴＥによってターゲットにされる展開における伝搬特性について考えると、１５ｋＨｚの主サブキャリア間隔値が好適であり得る。より詳細には、サブキャリア間隔は、ＷＴＲＵによって使用される最大速度および周波数帯域が与えられれば予想されるドップラー拡散値と比較して高くなり得、シンボル持続時間は、遅延拡散によるシンボル間干渉を回避するのに必要なサイクリックプレフィックスの持続時間と比較して高くなり得る。一例では、２つの可能な持続時間は、約５マイクロ秒の「ノーマルサイクリックプレフィックス（ＣＰ）」と約１７マイクロ秒の「拡張ＣＰ」とのＣＰに対して定義される。後者の値は、予想される遅延拡散がより大きいシナリオで使用され得る。
【００６８】
５Ｇなどのワイヤレス通信技術では、帯域幅の柔軟性があり得る。一実施形態では、５Ｇのエアインターフェースは、アップリンクとダウンリンクとの両方の上に公称システム帯域幅からシステム帯域幅に対応する最大値までの何からの異なる送信帯域幅を有し得る。
【００６９】
シングルキャリア動作では、サポートされるシステム帯域幅は、たとえば、少なくとも５、１０、２０、４０および８０ＭＨｚを含み得る。サポートされるシステム帯域幅は、所与の範囲の任意の帯域幅（たとえば、数ＭＨｚから１６０ＭＨｚまで）であり得る。公称帯域幅は、１つまたは複数の固定値を有し得る。２００ｋＨｚまでの狭帯域送信は、ＭＴＣデバイスの動作帯域幅内でサポートされ得る。
【００７０】
図２は、送信帯域幅２００の一例を示す図である。システム帯域幅２０１は、本明細書で説明するように、図２に示す例では、２０ＭＨｚである所与のキャリアのためのネットワークによって管理され得るスペクトルの最大部分を表し得る。そのようなキャリアの場合、ＷＴＲＵがセル捕捉、測定、およびネットワークへの初期アクセスのために最小限にサポートする部分は、図２に示す例では５ＭＨｚである公称システム帯域幅２０２に対応し得る。ＷＴＲＵは、システム帯域幅全体の範囲内にあるチャネル帯域幅で構成され得る。たとえば、ＷＴＲＵｘは１０ＭＨｚのチャネル帯域幅２０３を有し得、ＷＴＲＵｙは、２０ＭＨｚのチャネル帯域幅２０４を有し得、ＷＴＲＵｚは、５ＭＨｚだが、システム帯域幅の端部に割り振られたチャネル帯域幅２０５を有し得る。ＷＴＲＵの構成されたチャネル帯域幅は、システム帯域幅の公称部分を含むことも含まないこともある。
【００７１】
周波数領域波形のベースバンドフィルタ処理の効率的なサポートのためにその動作帯域のための追加の許可されたチャネル帯域幅の導入なしに帯域中の所与の最大動作帯域幅のＲＦ要件のすべての適用可能なセットが満たされ得るので、帯域幅の柔軟性が達成され得る。
【００７２】
公称システム帯域幅、総システム帯域幅、または構成されたチャネル帯域幅内での狭帯域送信にスペクトルを割り振る方法に加えて、シングルキャリア動作のためのＷＴＲＵのチャネル帯域幅を構成する、再構成する、および／または動的に変更する方法について本明細書で説明し得る。
【００７３】
５Ｇなどのワイヤレス通信技術では、エアインターフェースの物理レイヤは、帯域に非依存であり得、５ＧＨｚを下回る認可帯域での動作ならびに５〜６ＧＨｚの範囲の帯域での動作をサポートし得る。無認可帯域での動作では、ＬＴＥ認可支援アクセス（ＬＡＡ）と同様のリッスンビフォアトーク（ＬＢＴ）Ｃａｔ４ベースのチャネルアクセスフレームワークがサポートされ得る。
【００７４】
任意のスペクトルブロックサイズについてセル固有のおよび／またはＷＴＲＵ固有のチャネル帯域幅をスケーリングし、管理する方法（たとえば、スケジューリング、リソースのアドレス指定、ブロードキャスト信号、測定）も、５Ｇなどの任意のワイヤレス技術のための考慮事項である。
【００７５】
図３は、５Ｇなどのワイヤレス通信技術のための例示的なフレキシブルなスペクトル割振り３００の図である。例示的なフレキシブルなスペクトル割振り３００では、システム帯域幅３０２を水平方向の増分（たとえば、２０ＭＨｚ）で示し、時間３０１を垂直方向の増分で示す。サブキャリア間隔３０４は、第１の値deltaＦ1のものであり得、可変送信特性をもつスペクトル割振り３０６ａにわたり得る。サブキャリア間隔３０５は、第２の値deltaＦ2のものであり、場合によっては、サブキャリア間隔３０４よりも大きくなり得、可変送信特性をもつスペクトル割振り３０６ｂにわたり得る。セル（たとえば、５ＭＨｚ）を備える帯域幅の公称部分３０３があり得る。
【００７６】
ダウンリンク制御チャネルおよび信号は、周波数分割多重化（ＦＤＭ）動作をサポートし得る。ＦＤＭ動作では、ＷＴＲＵは、システム帯域幅３０２の公称部分３０３だけを使用して送信を受信することによってダウンリンクキャリアを捕捉し得、たとえば、ＷＴＲＵは、最初に、関係するキャリアについてネットワークによって管理されているシステム帯域幅全体３０２をカバーする送信を受信する必要がないことがある。
【００７７】
ダウンリンクデータチャネルは、ＷＴＲＵの構成されたチャネル帯域幅内にあること以外の制限なしに公称システム帯域幅３０３に対応することも対応しないこともある帯域幅上に割り振られ得る。たとえば、ネットワークは、５ＭＨｚの公称帯域幅３０３を使用して１２ＭＨｚのシステム帯域幅をもつキャリアを動作させ、それによって、２０ＭＨｚ相当までのチャネル帯域幅をサポートする他のＷＴＲＵのものに＋１０〜−１０ＭＨｚのキャリア周波数を割り振りながら多くても５ＭＨｚの最大ＲＦ帯域幅をサポートするデバイスがシステムを捕捉し、アクセスすることを可能にし得る。
【００７８】
図３のスペクトル割振りの例は、少なくとも概念的に、異なる動作モード、すなわち、スペクトル動作モード（ＳＯＭ）に割り当てられる異なるサブキャリアを有し得る。異なるＳＯＭは、送信ごとに異なる要件を満たすために使用され得る。ＳＯＭは、少なくとも、サブキャリア間隔と、ＴＴＩ長と、ＨＡＲＱ処理または２次制御チャネルなどの１つまたは複数の信頼性態様とからなり得る。さらに、ＳＯＭは、特定の波形を指すために使用され得るか、または処理態様に関係し得、たとえば、ＳＯＭは、ＦＤＭおよび／またはＴＤＭを使用する同じキャリア中での異なる波形の共存に関連し得、別の例では、ＳＯＭは、ＴＤＭ方式などでサポートされる時分割複信（ＴＤＤ）帯域中での周波数分割複信（ＦＤＤ）動作の共存に関連し得る。
【００７９】
５Ｇなどのワイヤレス通信技術では、システム署名が考慮され得る。ＷＴＲＵは、１つまたは複数のシステム署名を受信および／または検出するように構成され得る。システム署名は、シーケンスを使用する信号構造からなり得る。信号は、ＬＴＥの１次同期信号（ＰＳＳ）および／または２次同期信号（ＳＳＳ）と同様の同期信号（ＳＳ）と同様であり得る。署名は、特定ノードまたは所与のエリア内の送信／受信ポイント、ＴＲＰに特有（たとえば、一意に識別可能）であり得るか、またはそれは、複数のそのようなノードまたはエリア内のＴＲＰに共通であり得、署名情報は、ＷＴＲＵに知られていない、および／またはそれに関係していないことがある。ＷＴＲＵは、システム署名シーケンスを決定および／または検出し、さらに、システムに関連付けられた１つまたは複数のパラメータを決定し得る。たとえば、ＷＴＲＵは、そこからインデックスを導出し得、本明細書で説明するテーブルの中から関連するパラメータを取り出すためにインデックスを使用し得る。別の例では、ＷＴＲＵは、それがシステムの適用可能なリソースを使用してアクセスおよび／または送信し得ると決定する場合、ＷＴＲＵは、初期送信電力を設定する目的で、開ループ電力制御のための署名に関連付けられた受信電力を使用し得る。さらに別の例では、ＷＴＲＵは、それがシステムの適用可能なリソースを使用してアクセスおよび／または送信し得ると決定する場合、ＷＴＲＵは、送信（たとえば、ＰＲＡＣＨリソース上のプリアンブル）のタイミングを設定する目的などで受信した署名シーケンスのタイミングを使用し得る。
【００８０】
５Ｇなどのワイヤレス通信技術では、アクセステーブルは、ＷＴＲＵが使用するためのパラメータを記憶し得る。ＷＴＲＵは、１つまたは複数のエントリのリストで構成され得る。リストは、アクセステーブルと呼ばれることがあり、インデックス付けされ得、それにより、各エントリは、システム署名および／またはそれのシーケンスに関連付けられ得る。アクセステーブルは、１つまたは複数のエリアのための初期アクセスパラメータを与え得る。各エントリは、システムへの初期アクセスを実行するために必要な１つまたは複数のパラメータを与え得る。パラメータは、たとえば、時間および／または周波数的な適用可能な物理レイヤリソース（たとえば、ＰＲＡＣＨリソース）、初期電力レベル、応答の受信のための物理レイヤリソースを含む１つまたは複数のランダムアクセスパラメータのセットのうちの少なくとも１つを含み得る。パラメータは、パブリックランドモバイルネットワーク（ＰＬＭＮ）識別情報および／または限定加入者グループ（ＣＳＧ）情報などを含むアクセス制限をさらに含み得る。パラメータはまた、適用可能なルーティングエリアなどのルーティング関連情報を含み得る。各エントリは、システム署名に関連付けられ、および／またはそれによってインデックス付けされ得る。たとえば、エントリは、複数のノードまたはＴＲＰに共通であり得る。ＷＴＲＵは、ＲＲＣ構成によっておよび／またはブロードキャストされたリソースを使用する送信によってなど、専用リソースを使用する送信によってアクセステーブルを受信し得る。ＷＴＲＵがブロードキャストされたリソースを使用する送信によってアクセステーブルを受信するとき、アクセステーブルの送信の周期性は比較的長くなり得（たとえば、１０２４０ｍｓまで）、送信は、（たとえば、１００ｍｓの範囲内の）署名の送信の周期性よりも長くなり得る。
【００８１】
５Ｇなどのワイヤレス通信技術では、エアインターフェースは、ｅＭＢＢ、ＵＲＬＬＣ、およびｍＭＴＣなどの多種多様な周波数帯域およびユースケースをサポートする必要があり得る。ネットワーク展開のＣＡＰＥＸ／ＯＰＥＸにより、スペクトルの同じ連続ブロック上に異なるユースケースを多重化することが望ましいことがある。各ユースケースは、信号構造、ニューメロロジー（たとえば、サブキャリア間隔（ＳＣＳ）、シンボルサイズ、ＣＰ長など）などを含む異なる送信パラメータの必要につながるそれ自体の要件を有し得る。
【００８２】
本明細書で説明するように、送信パラメータ、信号構造またはニューメロロジーは、互換的に使用され得、波形（たとえば、ＯＦＤＭ、ＳＣ−ＦＤＭＡ、ゼロテールＤＦＴ拡散ＯＦＤＭなど）、サブキャリア間隔（ＳＣＳ）、サイクリックプレフィックス（ＣＰ）長、シンボルサイズなどの波形に関連付けられたパラメータ、送信に関連付けられたパラメータ、たとえば、送信機会またはスケジューリング機会のロケーションおよび／もしくはタイミングを構成するシンボルの数、または別の例は無認可チャネルアクセスパラメータ（たとえば、リッスンビフォアトークまたはクリアチャネルアセスメントパラメータ）であり得る、ＯＦＤＭＡ、（非直交多元接続の任意の変形形態を含む）ＮＯＭＡなどの多元接続方式、送信がノードによって受信または送信される条件（たとえば、送信がＷＴＲＵにおいてＵＬであるのかまたはＤＬであるのか）、および／またはユースケース（すなわち、ｅＭＢＢ、ＵＲＬＬＣ、ｍＭＴＣ）のうちの少なくとも１つによって定義またはパラメータ化され得る。
【００８３】
フレキシブルなリソース使用状況のための方法およびシステムでは、キャリアの帯域幅は、ニューメロロジーブロックにセグメント化され得る。キャリアは、各々が異なるニューメロロジーに関連付けられた異なる送信タイプをサポートするように構成され得る。そのようなサポートは、各サポートされるニューメロロジーがキャリアに割り振られたスペクトルの部分に関連付けられ得る周波数領域多重化（ＦＤＭ）、各サポートされるニューメロロジーが特定の時間に関連付けられ得る時分割多重（ＴＤＭ）、各サポートされるニューメロロジーが特定のプリコーダまたはビーム（たとえば、送信機のビームまたは受信機のビームまたはビームのペア）に関連付けられ得る空間領域多重化（ＳＤＭ）のうちの少なくとも１つを使用して異なるニューメロロジーの多重化を可能にすることによって行われ得る。たとえば、ＴＲＰは、各々が異なるニューメロロジーをもつ複数のアナログビーム上での同時送信および／または各サポートされるニューメロロジーが直交拡散シーケンスを使用し得るコードドメインの多重化をサポートし得る。
【００８４】
キャリアのブロック、領域、または部分は、周波数範囲、たとえば、連続する周波数範囲もしくは周波数範囲の不連続のセット、時間部分、たとえば、連続する時間部分もしくは時間部分の不連続のセット、ここにおいて、時間部分は、たとえば、周期方式で無期限に繰り返し得る、ビーム（たとえば、送信機のビームもしくは受信機のビームもしくはビームのペア）もしくはビームのセット、および／または拡散シーケンスもしくは拡散シーケンスのセットのうちの少なくとも１つによって定義され得る。
【００８５】
キャリアのブロック、領域、または部分は、ニューメロロジーで構成されるか、またはそれに関連付けられ得、したがって、ニューメロロジーブロック（または領域または部分）と呼ばれることがある。キャリアは、１つまたは複数のニューメロロジーブロックから構成され得る。
【００８６】
フレキシブルなリソース使用状況のための方法およびシステムでは、キャリアの帯域幅は、ニューメロロジーブロックにセグメント化され得、ここにおいて、ニューメロロジーブロックごとに複数のニューメロロジーがあり得る。ニューメロロジーブロックは、２つ以上のニューメロロジーとともにキャリアのブロックまたは領域または部分によって定義され得る。たとえば、ＴＤＤでは、ニューメロロジーブロックは、ＵＬ送信のための第１のニューメロロジーとＤＬ送信のための第２のニューメロロジーとを有するように定義され得る。
【００８７】
別の例では、ニューメロロジーブロックは、各々が１つまたは複数の物理チャネルに関連付けられ得るニューメロロジーのセットを有するものとして定義され得、ここにおいて、制御チャネルは、第１のニューメロロジーを有し得、データチャネルは、第２のニューメロロジーを有し得る。
【００８８】
さらに別の例では、ニューメロロジーブロックは、ＷＴＲＵに特有の送信のためのニューメロロジーに関連付けられ得る。あらゆるブロードキャストまたは共通送信は、事前構成された所定のニューメロロジーを使用し得る。たとえば、システム情報ブロックは、ブロードキャスト情報のニューメロロジーまたは信号構造を与え得る。システム情報ブロックはまた、ブロードキャスト情報の（たとえば、周波数、時間、ビームなどにおける）ロケーションを示し得る。この例では、ＷＴＲＵは、ニューメロロジーブロックに関連するニューメロロジーが示されたキャリアのブロックまたは領域または部分のすべてのインスタンスについて有効でないことがあることを理解するように構成され得る。代わりに、それは、ブロードキャストまたは共通送信に関連しないリソースについてのみ有効であり得る。
【００８９】
フレキシブルなリソース使用状況のための方法およびシステムでは、キャリアの帯域幅は、ニューメロロジーブロックにセグメント化され得、ここにおいて、ニューメロロジーブロックに関連付けられたパラメータがあり得る。ニューメロロジーブロックは、データ送信のスケジューリングを可能にするためにパラメータのセットで構成され得る。パラメータのセットは、リソースブロックのサイズの定義、たとえば、リソースブロック（ＲＢ）は帯域幅部分によって定義され得、異なる数のサブキャリアを有し得るニューメロロジーのサブキャリア間隔に依存し得るか、またはＲＢはサブキャリアの数として定義され得、異なる帯域幅部分を占有し得るサブキャリア間隔に依存し得る、サブフレーム長の定義、たとえば、サブフレーム長は絶対時間値によって定義され得、異なる数のシンボルを有し得るニューメロロジーのシンボル長に依存し得るか、またはサブフレーム長はシンボルの数によって定義され得、異なる絶対時間持続時間を有し得るニューメロロジーのシンボル長に依存し得る、スケジューリング機会またはスロット長のタイミング、ここで、スケジューリング機会（またはスロット境界）は時間として定義され得、ここで、スケジューリング割当て（たとえば、いつサブフレームまたはスロットが開始し得るのか）または１つまたは複数の次回のサブフレームの許可（たとえば、サブフレームが時間的に隣接しないことがあり、未使用の時間期間を有し得、ここで、未使用の時間期間は、異なる周波数領域中の異なるニューメロロジーブロック間の適切な同期を保証するために使用され得る）を示す制御チャネルがＷＴＲＵによって受信され得る、ＵＬからＤＬへのまたはＤＬからＵＬへの切替えタイミング、それは、たとえば、すべてのニューメロロジーブロックがＳＣＳにかかわらず整列したＵＬ／ＤＬ境界を有することを保証するためにＴＤＤシステム中に明示的に構成され得る、のうちの少なくとも１つを含み得る。
【００９０】
図４に、同じキャリア中の異なるニューメロロジーブロック間でのサブフレームの同期を可能にする非隣接サブフレームまたはスロットの一例を示す。追加／代替として、複数のサブフレームまたはスロットは、あらゆるスケジューリング機会の間に発生し得る。追加／代替として、異なるニューメロロジーブロックは、異なるサブフレームまたはスロット持続時間またはスケジューリング機会の周期性を有し得る。時間４０１を水平軸上に示し、周波数４０２を垂直軸上に示す。１つのスケジューリング機会を４０６で示す。ここに示した例では、サブフレーム４０４ａまたはそれの整数倍は、スケジューリング機会４０６全体を占有することはできない。次のサブフレーム４０４ｂは４０４ａと同様になることになり、サブフレーム４０４ｂは第１のスケジューリング機会４０６の終了時に開始することになる。サブフレーム４０３のブロックは、代替スケジューリングの例を表し、ここで、サブフレームは、スケジューリング機会全体を占有する。４０４ａと４０４ｂとの間のギャップは、２つのニューメロロジーブロック間のサブフレームを同期させるために使用される未使用のリソースであり得る。この例では、スケジューリングの例４０４ａは、スケジューリングの例４０３のブロックより時間的に２．５倍長いブロックまたはシンボルに分解されることにも留意されたい。
【００９１】
一実施形態では、本明細書で説明するパラメータの一部または全部は、ニューメロロジーブロックの構成または指示に同時に構成され得るか、または示され得る。別の実施形態では、パラメータの一部または全部は、スケジューリングの割当てまたは許可内で示され得る。たとえば、ＷＴＲＵは、ダウンリンク送信についてスケジュールされ得、スケジューリング情報は、シンボルの単位で測定されるサブフレーム長とともに送信が行われる得るニューメロロジーブロックを含み得る。
【００９２】
ニューメロロジーブロックは、パラメータの２つ以上のセットを有し得る。たとえば、ＴＤＤ中のニューメロロジーブロックは、ＵＬについてとＤＬについてとの異なるパラメータを有し得る。
【００９３】
フレキシブルなリソース使用状況のための方法およびシステムでは、キャリアの帯域幅は、ニューメロロジーブロックにセグメント化され得、ここにおいて、複数のニューメロロジーブロックは、キャリアに割り振られたスペクトル全体にわたり得る。別の実施形態では、複数のニューメロロジーブロックは、スペクトル全体にわたらないことがあり、ニューメロロジーブロックのうちの少なくともいくつかの間に間隔を有し得る。そのような間隔は、ガードバンドとして構成され得る。
【００９４】
１つまたは複数のガードバンドは、複数のニューメロロジーブロックをサポートするためにＦＤＭが使用されるときに構成され得る。一実施形態では、２つのブロック間の境界は、ガードバンドまたはガードバンドエリアで構成され得る。たとえば、ブロックは、ガードバンドのために使用されるリソースを示すために（たとえば、ニューメロロジーブロックと同様に）構成され得る。別の実施形態では、ニューメロロジーブロックは、ニューメロロジーブロックのリソース内のまたはそれのすぐ外のそれの周波数端の一方または両方にある１つまたは２つのガードバンドで構成され得る。
【００９５】
ガードバンドまたはガードバンドエリアは、ＷＴＲＵが、別のノードからの送信がないことを予想するか、または別のノードへの送信のためにリソースが許可されること（またはそれからリソースを自律的に選択すること）が予想され得る周波数および／または時間リソースのセットと見なされ得る。１つまたは複数のガードバンドエリアは、少なくとも１つのニューメロロジーブロックの構成で一緒に構成され得る。代替として、１つまたは複数のガードバンドエリアは独立して構成され得る。
【００９６】
ガードバンドの周波数スパンは、絶対スペクトル幅で定義され得る。別の実施形態では、ガードバンドの周波数スパンは、ガードバンドの定義のために特に割り当てられたサブキャリア間隔に関して定義され得る。また別の実施形態では、ガードバンドの周波数スパンは、隣接するニューメロロジーブロックのうちの少なくとも１つのサブキャリア間隔を仮定して、サブキャリアに関して定義され得る。
【００９７】
同様に、ガードバンドの持続時間は、ガードバンドの定義に割り当てられたシンボル持続時間に関して、または少なくとも１つの隣接するニューメロロジーブロックのシンボル持続時間に関して絶対時間単位で定義され得る。
【００９８】
フレキシブルなリソース使用状況のための方法およびシステムでは、キャリアの帯域幅は、ニューメロロジーブロックにセグメント化され、構成され得る。本明細書で説明するように、ニューメロロジーブロックの構成または指示はまた、ガードバンドまたはガードバンドエリアの構成または指示に適用可能であり得る。
【００９９】
キャリアは、１つまたは複数のニューメロロジーブロックにセグメント化され得る。一実施形態では、ＷＴＲＵは、少なくとも１つのニューメロロジーブロック上での送信に関連付けられたパラメータとともに少なくとも１つのニューメロロジーブロックの境界を知っている必要がある。少なくとも１つのニューメロロジーブロックの境界とパラメータとは、一緒にまたは別々に示され得る。
【０１００】
１つまたは複数のニューメロロジーブロックの境界またはパラメータのセットは、半静的に示され得る。たとえば、１つまたは複数の境界またはパラメータのセットは、ＷＴＲＵが初期アクセスを実行することを可能にする送信中で示され得る。たとえば、システム情報ブロックまたは署名シーケンスまたは同期信号は、少なくとも１つのニューメロロジーブロックについての少なくとも１つの境界およびパラメータのセットを示し得る。そのようなニューメロロジーブロックは、初期アクセスを続けるためにさらなる情報を受信するためにＷＴＲＵによって使用され得る。元のシステム情報ブロック、署名シーケンス、または同期信号は、固定されたニューメロロジーおよびニューメロロジーパラメータのセットとともに送信され得る。別の例では、複数のニューメロロジーが、元のシステム情報ブロック、署名シーケンス、または同期信号に対してサポートされ得、ＷＴＲＵは、その送信の適切なニューメロロジーを決定するためにブラインド復号し得る。
【０１０１】
さらに、少なくとも１つのニューメロロジーブロックのための少なくとも１つの境界またはパラメータのセットは、上位レイヤのシグナリング（たとえば、ＲＲＣシグナリング）によって半静的に示され得る。たとえば、１つまたは複数のＷＴＲＵは、少なくとも１つのニューメロロジーブロックのための少なくとも１つの境界またはパラメータのセットを示す送信を受信し得る。
【０１０２】
フレキシブルなリソース使用状況のための方法およびシステムでは、キャリアの帯域幅は、ニューメロロジーブロックにセグメント化され得、ここにおいて、複数のニューメロロジーブロックは、動的な指示のために構成され得る。さらに、１つまたは複数のニューメロロジーブロックの境界またはパラメータのセットは、動的に示され得る。たとえば、ダウンリンク制御情報（ＤＣＩ）は、少なくとも１つのニューメロロジーブロックの境界およびパラメータのセットを示し得る。ＤＣＩ送信は、（たとえば、グループ無線ネットワーク識別子（ＲＮＴＩ）識別子などを含む）共通制御シグナリングを使用し得、これにより、ＷＴＲＵのグループを少なくとも１つのニューメロロジーブロックのための新しい境界および／または少なくとも１つのニューメロロジーブロックのためのパラメータの新しいセットまたはセットで更新することが可能になり得る。ＤＣＩ送信は、たとえば、上位レイヤによって与えられた構成に従って周期的に行われ得る。送信は、均一なカバレージを保証するために２つ以上のダウンリンクビームを介して繰り返され得る。
【０１０３】
別の例では、（ＤＬまたはＵＬのいずれかのための）ＤＣＩスケジューリングの送信では、適切なニューメロロジーは、データを送信または受信するようにＷＴＲＵがスケジュールされるリソースにおいて使用されるようにＷＴＲＵに示され得る。
【０１０４】
少なくとも１つのニューメロロジーブロックの構成の動的な指示は、２つの部分で行われ得る。たとえば、少なくとも１つのニューメロロジーブロックの境界は、より低い頻度で変更され得、したがって、より低い頻度で送信される制御チャネル（たとえば、ＤＣＩ）中で示され得る。ＴＲＰ（たとえば、ｅＮＢ）は、前に示された境界を使用してニューメロロジーブロックのためのパラメータのセットを示す第２の制御チャネル送信（たとえば、ＤＣＩ）を送信し得る。そのような送信は、ニューメロロジーパラメータを介したより動的な制御を可能にするために最初よりも頻繁であり得る。
【０１０５】
第１および第２の制御チャネル送信の探索空間は、キャリアの同じまたは異なる周波数部分を占有し得る。たとえば、第１および／または第２の制御チャネル送信は、固定された（すなわち、ＷＴＲＵによって知られている）ニューメロロジーを使用してキャリアの帯域幅全体にわたる制御領域中で送信され得る。代替として、制御チャネル送信の探索空間は、キャリアの帯域幅の一部分にわたり得る。たとえば、探索空間は、構成または再構成されているすべての帯域幅部分にわたり得る。別の代替では、探索空間は、ニューメロロジーパラメータの同じセットで構成／再構成されている帯域幅部分のみにわたり得、これを仮定すれば、複数のニューメロロジーブロック（たとえば、分裂したブロック）が、ニューメロロジーパラメータの同じセットで構成／再構成され得る。この場合、制御チャネルの探索空間は、同じニューメロロジーパラメータが使用される分裂した周波数にわたり得る。
【０１０６】
第１および／または第２の制御チャネル送信の探索空間は、それが構成／再構成しているニューメロロジーブロックと同じ境界および／またはニューメロロジーパラメータのセットを使用し得る。これは、ＷＴＲＵに、制御チャネルの境界および／またはニューメロロジーパラメータのセットをブラインドで決定することを要求し得る。代替として、少なくとも１つのニューメロロジーブロックの境界および／またはパラメータのセットを構成／再構成するために使用される制御チャネルは、所定の構成可能／再構成可能な境界およびニューメロロジーを使用し得る。
【０１０７】
図５Ａに、ニューメロロジーブロックの２ステップ構成の実施形態を示す。時間５０１を水平軸に示し、周波数５０２を垂直軸に示す。ＷＴＲＵは、場合によっては、第１の制御領域５０３中でグループＲＮＴＩ（など）を使用して第１の制御チャネル送信を受信し得る。制御領域は、制御チャネルが送信され得、１つまたは複数のニューメロロジーブロックにわたり得るリソースのセットであり得る。制御チャネル送信は、キャリア帯域幅の一部分または全体にわたる１つまたは複数のニューメロロジーブロックの境界をＷＴＲＵに示し得、制御チャネル送信は、キャリア帯域幅の少なくとも一部分のセグメント化を示し得る。キャリア５０６ａおよび５０６ｃの外側の境界内に、５０６ｂなどの追加の境界があり得る。制御チャネル送信は、あらかじめ構成された周波数、帯域幅部分（ＢＷＰ）、または知られているニューメロロジーを使用してニューメロロジーブロック中で送信され得、ＢＷＰは、ニューメロロジーブロックと交換可能であり得る。そのような制御送信は、周期的であることも非周期的であることもある。そのような制御チャネル送信はまた、第２の制御チャネル送信を含んでいる少なくとも１つの第２の制御領域を復号するために必要とされるパラメータでＷＴＲＵを構成するために使用され得る。
【０１０８】
境界５０６ａ〜ｃを復号した後に、ＷＴＲＵは、第２の制御領域５０４および５０５中のニューメロロジーブロックのうちの少なくとも１つにおいて使用されるべきパラメータのセットを示す第２の制御チャネル送信を予想し得る。第２の制御領域５０４または５０５は、単一のニューメロロジーブロックのリソースにわたり得、そのニューメロロジーブロックに関係する制御シグナリングを送信するために使用され得る。ＷＴＲＵは、ちょうど第２の制御領域５０４および５０５が第１の制御領域５０３内にあるように示されているように、そのような制御チャネル送信が第１の制御チャネル送信と同じあらかじめ構成された周波数中にあることを予想し得る。別の場合では、ＷＴＲＵは、構成が適用可能であるニューメロロジーブロックによって包含される周波数範囲内で第２の制御チャネル送信が送信されることを予想し得る。
【０１０９】
一実施形態では、ニューメロロジーブロックの境界５０６ａ〜ｃは、たとえば、システム情報ブロック中に半静的に示され得る（図示せず）。ＷＴＲＵは、次いで、少なくとも１つのニューメロロジーブロックのための適切なニューメロロジーパラメータを示す制御チャネル送信を受信するために異なるニューメロロジーブロックを監視し得る。
【０１１０】
図５Ｂに、図５Ａに関係する例に従う例示的なプロセスを示す。５５１において、ＷＴＲＵは、第１の制御チャネル上で送信を受信し得、ここにおいて、送信は、第１の制御情報（すなわち、第１の制御チャネル送信）を含む。５５２において、ＷＴＲＵは、第２の制御チャネル上で送信を受信し得、ここにおいて、送信は、第２の制御チャネル情報（すなわち、第２の制御チャネル送信）を含む。第２の制御チャネルは、第１の制御チャネル送信中に与えられた情報に基づいてＷＴＲＵに知らされ得る。５５３において、ＷＴＲＵは、第１の制御チャネル送信および／または第２の制御チャネル送信に基づいてデータを送信／受信し得る。第１の制御チャネル送信は、第２の制御チャネル送信のための周波数境界を構成し得、第２の制御チャネル送信は、データ送信またはデータの受信をスケジューリングするためのニューメロロジー構成パラメータを有し得る。
【０１１１】
フレキシブルなリソース使用状況のための方法およびシステムでは、キャリアの帯域幅は、ニューメロロジーブロックにセグメント化され得、ここにおいて、可能なエラーに対処するためのプロトコルがあり得る。第１の制御チャネル、第２の制御チャネル、またはその両方の制御チャネル送信は、周期的であることも非周期的であることもある。非周期的な送信が使用される場合、ＷＴＲＵは、それが構成の変更を示す新しい制御チャネル送信を受信するまで変更がないことを仮定し得る。一例では、非周期的な送信が使用されるとき、ＷＴＲＵが少なくとも１つのニューメロロジーブロックのパラメータのセットの境界の変更の指示を適切に復号しない場合にエラーがあり得る。さらに、第１および第２の制御チャネルがそれぞれ境界とパラメータのセットとを示すために使用されるとき、消失した第１の制御チャネルは、間違って検出される第２の制御チャネル送信につながり得る。
【０１１２】
このエラーの可能性に対処するために、ＷＴＲＵは、境界の変更またはパラメータのセットの変更またはその両方についての非周期的な制御チャネルを受信すると肯定応答を送信し得る。
【０１１３】
図５Ｃに、図５Ａおよび図５Ｂの例に関係するニューメロロジーブロックのパラメータ／境界を動的に受信および変更するための例示的なプロセスを示す。一実施形態では、ＷＴＲＵ１０２は、第１の制御領域中の制御チャネルを周期的にまたは非周期的に監視する５８１ように事前構成される。ｇＮＢ１８０は、ニューメロロジーブロックの境界を含む、第１のＤＣＩなどの第１の制御チャネル送信５８２をＷＴＲＵ１０２に送る。場合によっては、ＷＴＲＵ１０２は、第１の制御チャネル送信５８２を確認するために肯定応答（ＡＣＫ）５８３を送るように構成され得る。ｇＮＢ１８０は、ＷＴＲＵ１０２に第１の制御チャネル送信のニューメロロジーブロックのためのパラメータを示す第２の制御チャネル送信５８４を送り得る。場合によっては、ＷＴＲＵ１０２は、第２の制御チャネル送信５８４を確認するために肯定応答（ＡＣＫ）５８５を送るように構成され得る。ＷＴＲＵ１０２は、データを送信／受信するためのニューメロロジー構成を処理する５８６ためにそれが受信した情報を使用し得る。ＷＴＲＵ１０２は、受信したニューメロロジー境界／パラメータに基づいてそれが実行した処理に従ってｇＮＢ１８０にデータを送信し得る５８７。
【０１１４】
代替として、ニューメロロジーブロックの境界またはパラメータのセットの変更は新しい値タグを含み得る。将来のスケジューリングの割当てまたは許可は、値タグをも含み得る。これにより、ＷＴＲＵは、それが成功した（再）構成を最後に受信したのでそれのニューメロロジーブロックまたはパラメータの変更が発生したのかどうかを決定することが可能になり得る。別の代替では、ニューメロロジーブロックの値タグは、それ自体の送信中でまたは別のもの（たとえば、システム情報）に結びつけられた送信中で周期的な方式で送信され得る。
【０１１５】
フレキシブルなリソース使用状況のための方法およびシステムでは、キャリアの帯域幅は、ニューメロロジーブロックにセグメント化され得、ここにおいて、第１の信号の受信からのニューメロロジーブロックの指示があり得る。ＷＴＲＵは、場合によっては、構成可能なニューメロロジーおよび帯域幅とともに同期信号（ＳＳ）（たとえば、ＰＳＳ、ＳＳＳ）を検出し、復号するように構成され得る。たとえば、ＷＴＲＵは、可能なニューメロロジーおよび帯域幅のサブセットとともに１つまたは複数のＳＳをブラインドで検出しようと試み得る。
【０１１６】
適用可能なＳＳが検出されると、ＷＴＲＵは、後続のシステム情報の送信（たとえば、ＭＩＢまたはＳＩＢ）、ニューメロロジーブロックのセグメント化および／またはニューメロロジーブロックごとのニューメロロジーパラメータのセットを示す制御チャネルなどの制御チャネル送信、ページングの送信、および／またはアップリンク送信（たとえば、ＰＲＡＣＨ送信）のうちの少なくとも１つのために使用される適切なニューメロロジーおよび／または帯域幅を決定し得る。
【０１１７】
一例では、ＷＴＲＵがリソースの第１のセット中でＳＳを検出する場合、ＷＴＲＵは、特定のニューメロロジー（たとえば、ＳＳのために使用されたのと同じニューメロロジー）を使用してシステム情報がリソースの第２のセット中で送信されることになると暗黙的に決定し得る。別の例では、第１のニューメロロジーを使用するリソースの第１のセット中でＳＳを検出すると、ＷＴＲＵは、ニューメロロジーの可能なサブセットをそれぞれ使用して可能なリソースのサブセット（たとえば、可能な周波数領域もしくはサブバンドおよび／または時間機会のサブセット）中でシステム情報または制御チャネル送信を検出しようと試み得る。
【０１１８】
ＷＴＲＵがシステム情報をブラインドで復号しようと試み得るリソースおよびニューメロロジーのサブセットは、ＳＳ送信から暗黙的に決定され得る。たとえば、ＳＳ送信の帯域幅および／またはシーケンスおよび／またはニューメロロジーに応じて、ＷＴＲＵは、リソースの特定のセット上でおよび／または可能なニューメロロジーのセットを使用してシステム情報のブラインド検出を試みるように構成され得る。
【０１１９】
システム情報リソース（またはＳＳの後に予想される任意の送信のリソース）は、ＳＳのリソースに対して定義され得る。たとえば、時間ｎに位置するＳＳは、時間ｎ＋ｋにおけるシステム情報のあり得る存在を示し得、ここで、ｎおよびｋの時間の単位は、所定であり得るか、またはＳＳのパラメータ（たとえば、ＳＳのシンボル持続時間）に依存し得る。ＳＳと後続の送信（たとえば、ｎおよびｋ）との間の相対関係は、ＷＴＲＵによってアプリオリに知られており、常に固定され得るか、または別のセル、ＴＲＰ、もしくはキャリアによって構成され得る。
【０１２０】
一実施形態では、少なくとも１つのＳＳ送信は、ＷＴＲＵがシステム情報を復号しようと試み得るリソースのセットおよび／またはニューメロロジーを明示的に示し得る。たとえば、この指示は、ＳＳシーケンスのパラメータとして、またはＳＳシーケンスの上に符号化され得る。別の例では、ＳＳは、２つの部分、リソースの第１のセット上のシーケンスとリソースの第２のセット中でシステム情報のために使用されるパラメータの指示とから構成され得る。
【０１２１】
一実施形態では、複数のＳＳは、複数のニューメロロジーブロックを示し得る。また、ＷＴＲＵは、場合によっては同時に複数のＳＳを検出し得る。各ＳＳは、特定の周波数範囲に限定され、特定のＢＷを有し得、異なるニューメロロジーを使用し得る。各ＳＳのロケーション、ＢＷおよび／またはニューメロロジーにより、ＷＴＲＵは、ニューメロロジーブロックの境界とニューメロロジーブロックのパラメータとを決定することが可能になり得る。各ＳＳのパラメータにより、ＷＴＲＵは、本明細書で説明するように、場合によっては、ＳＳによって示されるパラメータを使用して１つまたは複数のシステム情報の送信を検出し、復号することが可能になり得る。一例では、各ＳＳは、ＷＴＲＵが一意のシステム情報の送信を復号するのに必要なパラメータを示し得る。さらに、そのようなシステム情報の送信は、そのニューメロロジーブロックにのみ適用可能であり得る。別の例では、１つまたは一部または全部のＳＳは、ＷＴＲＵが一般的なシステム情報を復号するためのパラメータを示し得る。さらに、そのようなシステム情報の送信は、すべてのニューメロロジーブロックに適用可能であり得る。別の例では、各ＳＳは、システム情報が送信され得る複数のリソースのいずれかを指し得る。ＷＴＲＵがシステム情報を取得するリソースに応じて、コンテンツは、ニューメロロジーブロック（たとえば、システム情報が送信されるブロック）のサブセットにのみ関係し得る情報とともにすべてのニューメロロジーブロックに関連する情報を含み得る。
【０１２２】
ＷＴＲＵは、（たとえば、第１のＵＬ送信中で）ネットワークにそれが検出したＳＳのセットおよび／またはそれが検出したＳＳのセットに対して行われた関係する測定値を示し得る。たとえば、ＷＴＲＵは、それが検出した各ＳＳに対して行われたチャネル品質インジケータ（ＣＱＩ）、基準信号受信電力（ＲＳＲＰ）、受信信号強度インジケータ（ＲＳＳＩ）、または経路損失の測定値を示し得る。これにより、ＷＴＲＵは、（たとえば、帯域幅およびニューメロロジーに関する）それの能力を示すことが可能になり得る。
【０１２３】
フレキシブルなリソース使用状況のための方法およびシステムでは、キャリアの帯域幅は、相応して構成され得る複数のフレキシブルな制御チャネル領域をサポートし得る。制御チャネルは、ニューメロロジーブロックのサイズの完全なフレキシビリティを可能にするためによりフレキシブルな帯域幅を用いて動作し得る。制御チャネル領域は、（たとえば、周波数または時間的に）キャリア全体にわたらないことがある。制御チャネル領域はまた、サブキャリアのサブセットだけのために送信をスケジューリングするために適用可能であるように定義され得る。たとえば、サブキャリアのサブセット上で送信される制御チャネル領域は、サブキャリアのそのサブセット上での送信をスケジューリングするだけのために適用可能であり得る。別の例では、サブキャリアの第１のサブセット上で送信される制御チャネル領域は、サブキャリアの第２のサブセット上での送信をスケジューリングするだけのために適用可能であり得、ここで、サブキャリアの第２のサブセットは、サブキャリアの第１のサブセットを含むスーパーセットである。
【０１２４】
フレキシブルなリソース使用状況のための方法およびシステムでは、キャリアの帯域幅は、複数のフレキシブルな制御チャネル領域をサポートし得、ここにおいて、ニューメロロジーブロックごとに１つまたは複数の制御チャネル領域が位置し得る。複数のニューメロロジーブロックで構成されたＷＴＲＵは、ニューメロロジーブロックごとに少なくとも１つの制御チャネル領域を仮定し得る。制御チャネル領域は、複数の探索空間を含み得る。たとえば、制御チャネル領域は、（たとえば、周波数または時間的に）ニューメロロジーブロック全体にわたり得る。代替として、制御領域は、ニューメロロジーブロックのリソース（たとえば、周波数、時間、ビーム、および／または拡散シーケンス）のサブセットにわたり得る。
【０１２５】
制御領域は、それが位置するニューメロロジーブロックのために構成されたニューメロロジーパラメータを再利用し得る。一実施形態では、制御領域は、ニューメロロジーパラメータの別のセットを使用し得る。制御領域に固有のニューメロロジーパラメータのこのセットは、ニューメロロジーブロックの構成の部分として示され得る。代替として、ニューメロロジーパラメータの制御領域のセットは、ニューメロロジーブロックのためのパラメータのセットの構成について本明細書で説明する方法を使用してニューメロロジーブロックの構成とは無関係に含まれ得る。
【０１２６】
フレキシブルなリソース使用状況のための方法およびシステムでは、キャリアの帯域幅は、複数のフレキシブルな制御チャネル領域をサポートし得、ここにおいて、ニューメロロジーブロックのセットごとに１つまたは複数の制御チャネル領域が位置し得る。ＷＴＲＵは、複数のニューメロロジーブロックにわたる少なくとも１つの制御チャネル領域を監視するように構成され得る。
【０１２７】
一実施形態では、ニューメロロジーブロックが同じパラメータ（たとえば、同じＳＣＳ、同じサイクリックプレフィックス、同じサブフレーム長など）を共有する場合、ＷＴＲＵは、複数のニューメロロジーブロックについて制御チャネル領域を監視し得る。制御領域は、（たとえば、周波数または時間的に）ニューメロロジーブロックのセット全体にわたり得る。一実施形態では、制御領域は、ニューメロロジーブロックのサブセットのリソースにわたり得る。たとえば、キャリアは、２つのニューメロロジーブロックにセグメント化され得、制御チャネル領域は、単一のニューメロロジーブロックのすべてのサブキャリアにわたり得る。一実施形態では、制御領域は、複数のニューメロロジーブロックの組み合わされたリソース（たとえば、周波数、時間、ビーム、および／または拡散シーケンス）のサブセットにわたり得る。たとえば、制御領域は、１つのニューメロロジーブロックにわたり得、複数のニューメロロジーブロックに適用可能であり得る。組み合わされたリソースのサブセットは、適応可能であり得、以前の送信（たとえば、前に送信された制御チャネル）に基づいて決定され得る。
【０１２８】
一実施形態では、複数のニューメロロジーブロックが隣接するときのみ、ニューメロロジーブロックは制御領域を共有し得る。代替的に、不連続のニューメロロジーブロックは、制御チャネル領域を共有し得る。制御チャネル領域を共有する不連続のニューメロロジーブロックの場合、制御チャネル領域は、連続するニューメロロジーブロックのサブセット中にのみ含まれ得る。
【０１２９】
一実施形態では、制御チャネル領域は、複数の不連続のニューメロロジーブロックにわたり得る。不連続のニューメロロジーブロックは、仮想マッピング中で連続していると見なされ得る。仮想マッピングは、複数のニューメロロジーブロックが連続している場合と同様の方法で制御チャネル要素（ＣＣＥ）および／またはリソース要素グループ（ＲＥＧ）を効果的に拡散するために使用され得る。不連続のブロックの仮想マッピングは、制御チャネルが送信されるときのシンボル、サブフレーム、もしくはフレームのための送信時間、ニューメロロジーブロックの周波数、ここで、マッピングは、制御チャネルが有効であるニューメロロジーブロックのセットに依存し得る、制御チャネルを送信するために使用されるビームもしくはビームのペア、および／または前に使用された仮想マッパーのうちの少なくとも１つに依存し得、および／またはここで、マッピングルールは、制御チャネル送信ごとに所定のセットを巡回し得る。
【０１３０】
一実施形態では、ニューメロロジーブロックのセットに適用可能な第１の制御チャネル領域は、第２の制御チャネルのセットの送信のために使用されるリソースを決定するために使用され得る。第２の制御チャネルのセットは、ニューメロロジーブロックのサブセットに適用可能であり得る。たとえば、ｎ個のニューメロロジーブロックのセットは、ニューメロロジーブロックｉに指定されたリソース中に位置する第１の制御チャネル領域を使用し得る。第１の制御チャネル領域は、各々がニューメロロジーブロックの異なるセット中に位置する第２の制御チャネル領域のセットのロケーションを示し得る。たとえば、連続するニューメロロジーブロックｊおよびｋ中に第２の制御チャネル領域があり、不連続のニューメロロジーブロックｌおよびｍ中に別の第２の制御チャネル領域があり得る。これは、第１の制御チャネルの目的が、目的が適切なニューメロロジーブロック中でスケジュールすることである第２の制御チャネルの存在を示すことであることを除いて図５Ａと同様である。
【０１３１】
フレキシブルなリソース使用状況のための方法およびシステムでは、ＷＴＲＵの挙動が能力または必要に基づいて監視され得、たとえば、ＷＴＲＵがいくつかのニューメロロジーブロックをサポートしないかまたはサポートできないとき、ＷＴＲＵは、それらのいくつかのニューメロロジーブロックを監視しないことによって電力を節約することが可能であり得る。ＷＴＲＵは、ＷＴＲＵがデータを送信および／または受信するようにスケジュールされ得るニューメロロジーブロック中に制御チャネル領域があるのかどうかに基づいて選択され得る１つまたは複数の制御チャネル領域を監視し得る。これは、ＷＴＲＵの能力に基づいて決定され得、たとえば、ＷＴＲＵがニューメロロジーパラメータの特定のセットを使用することができない場合、それは、ニューメロロジーパラメータのそのセットを使用するニューメロロジーブロックに適用可能である制御チャネル領域を監視することができない。
【０１３２】
一実施形態では、ＷＴＲＵは、必要とされるサービスタイプに応じて、制御チャネル領域を監視することができる。たとえば、ニューメロロジーブロックは、サービスのタイプに結びつけられ得、それが構成されたサービスのためのニューメロロジーブロック上の送信をスケジュールし得る制御チャネルのみを監視し得る。
【０１３３】
ＷＴＲＵは、キャリアの一部または全部のニューメロロジーブロックがＷＴＲＵに適用可能でないと決定し得る。そのような場合、ＷＴＲＵは、低電力モード／状態（たとえば、スリープまたはアイドル）に入り得る。そのようなモードでは、ＷＴＲＵは、それが任意の制御チャネル送信を受信できないかまたは受信する必要がないニューメロロジーブロックの少なくとも上で制御チャネルの一部または全部を監視し得ない。さらに、スリープモードをいつ出るべきであるのかＷＴＲＵが決定するために、ニューメロロジーブロック構成は有効性タイマーを含み得、ここにおいて、１つまたは複数のニューメロロジーブロックを構成する送信は、ニューメロロジーブロック構成が有効である時間量を（たとえば、時間単位で、またはシンボル単位で、またはサブフレーム単位で）示し得る。低オーバーヘッドの送信は、ニューメロロジーブロック構成が有効である残り時間を示すために周期的に使用され得る。これにより、ＷＴＲＵは、（たとえば、ＷＴＲＵがいつ起動されるのか）それが１つもしくは複数の制御チャネルを監視する必要があるのかどうか、またはそれがスリープに再び入り得るのかどうかを決定することが可能になり得る。
【０１３４】
フレキシブルなリソース使用状況のための方法およびシステムでは、ＷＴＲＵは、ニューメロロジーブロック間のスケジューリングの関係に基づいて監視を実行し得、たとえば、ＷＴＲＵは、単一の制御チャネルの複数のニューメロロジーブロック中にスケジュールされ得る。ＷＴＲＵは、ニューメロロジーブロック構成に関係するルールなどの所定のルールに基づいて制御チャネル領域を監視し得る。
【０１３５】
一実施形態では、ＷＴＲＵは、特定のニューメロロジーパラメータ（たとえば、最大のＳＣＳまたは同等に、最小のシンボルサイズ）をもつニューメロロジーブロック中に位置する制御チャネル領域を監視し得る。ＷＴＲＵは、ニューメロロジーブロックを超えたスケジューリングで構成され得る。そのような実施形態では、異なるニューメロロジーブロック間のサブフレームの境界が一致しないとき、第１のニューメロロジーブロック中の制御領域は、一致するサブフレームの境界をもつニューメロロジーブロックにのみ適用可能であり得る。たとえば、キャリアは、第１のニューメロロジーブロックが第２のニューメロロジーブロックのものの１／２のサブフレーム持続時間をもつ２つのニューメロロジーブロックにセグメント化され得る。第１のニューメロロジーブロック中での制御チャネル送信は、第２のニューメロロジーブロック中の第１のサブフレーム中でのみＷＴＲＵをスケジュールするように適用可能であり得る。
【０１３６】
一実施形態では、第１のニューメロロジーブロック中の制御領域は、任意の他のニューメロロジーブロックに適用可能であり、制御チャネル領域が位置する第１のニューメロロジーブロックの次のサブフレーム境界まで他のニューメロロジーブロックの任意のサブフレームに適用可能であり得る。たとえば、キャリアは、第１のニューメロロジーブロックが第２のニューメロロジーブロックのものの１／２のサブフレーム持続時間をもつ２つのニューメロロジーブロックにセグメント化され得る。第１のニューメロロジーブロック中での制御チャネル送信は、第２のニューメロロジーブロックの両方の同時サブフレーム中でＷＴＲＵをスケジュールするように適用可能であり得る。
【０１３７】
一実施形態では、ＷＴＲＵは、必要とされるサービスタイプに応じて、制御チャネル領域を監視し得る。たとえば、ニューメロロジーブロックは、サービスのタイプに結びつけられ得、ＷＴＲＵは、それが構成されたサービスのためのニューメロロジーブロック上での送信をスケジュールし得る制御チャネルを監視だけし得る。
【０１３８】
フレキシブルなリソース使用状況のための方法およびシステムでは、ＷＴＲＵの挙動は、構成に基づいて監視され得る。一実施形態では、ＷＴＲＵは、別の送信による指示に基づいて制御チャネル領域を監視し得る。たとえば、ＷＴＲＵは、特定の制御チャネル領域を監視するように構成され得る。構成は、（たとえば、システム情報または上位レイヤのシグナリングを使用して）半静的であり得るか、または、（たとえば、構成可能な制御チャネル領域中に位置する別の制御チャネル送信を使用して）動的であり得る。
【０１３９】
フレキシブルなリソース使用状況のための方法およびシステムでは、ＷＴＲＵは、構成に基づいて監視を実行し得、ここにおいて、構成は、階層に基づいて制御チャネルを監視することに関係し得、たとえば、ＷＴＲＵは、さらに監視するように命令されるまでより小さい量の制御チャネル領域を定期的に監視することによってそれの電力消費量を低減し得る。ＷＴＲＵは、それが１つまたは複数の第２のレベルの制御チャネルを監視または復号する必要があるのかどうかを決定するために第１のレベルの制御チャネルを監視し得る。第１のレベルの制御チャネルは、限定された帯域幅またはリソースのセットまたはニューメロロジーブロックのセットにわたって発生し得、ＷＴＲＵは、限定された帯域幅またはリソースのセットまたはニューメロロジーブロックにわたって第１のレベルの制御チャネルを復号だけし得る。ＷＴＲＵは、第２のレベルの制御チャネルを復号する必要があると第１のレベルの制御チャネルからの指示時に、第１のレベルの制御チャネル中に与えられたパラメータに潜在的に基づいて第２のレベルの制御チャネルの復号を実行し得る。第２のレベルの制御チャネルの復号は、第２のサブバンドまたはリソースのセットまたはニューメロロジーブロックのセット（たとえば、帯域幅全体、リソースのセット、またはニューメロロジーブロックのセット）にわたって実行され得る。さらに、これは、ＷＴＲＵ受信機のフロントエンドまたはデジタル処理のより大きい、もしくは異なる部分をオンにすること、制御チャネルの第２のレベルを処理するために必要なハードウェアのいくつかの部分を起動すること、または他の関連する行為を伴い得る。ＷＴＲＵは、データ、システム情報、または第２の制御チャネルに関する他のデータ／情報についてそれのリソース許可（ＵＬ／ＤＬ）をさらに決定し得る。
【０１４０】
一実施形態では、ＷＴＲＵは、ＷＴＲＵにおけるスケジューリングアクティビティが低いときに低電力状態に構成され得、これは、この低電力状態中にＷＴＲＵの制御チャネルの処理のすべてを可能にする必要を低減し得る。
【０１４１】
フレキシブルなリソース使用状況のための方法およびシステムでは、ＷＴＲＵは、第１の制御チャネルから情報を受信し得る。第１のレベルの制御チャネルを復号すると、ＷＴＲＵは、第２のレベルの制御チャネルのいくつかのパラメータを決定することが可能であり得る。
【０１４２】
第１の制御チャネルの復号に続いてＷＴＲＵの必要とされる挙動は、第１の制御チャネルの復号時にＷＴＲＵによって決定される第２の制御チャネルのパラメータであり得る。すなわち、第１のチャネルは、ＷＴＲＵが第２のレベルの制御チャネルを監視すべきであるのかどうかを示し得る。
【０１４３】
第１の制御チャネルの復号時にＷＴＲＵによって決定される第２の制御チャネルのパラメータは、ＷＴＲＵが第２のレベル中のどの制御チャネルを監視すべきであるのかを決定し得る。たとえば、どの制御チャネル領域を監視すべきか。別の例では、制御チャネル領域は、特定のニューメロロジーブロックに関連付けられ得る。
【０１４４】
一実施形態では、ＷＴＲＵは、第１のチャネルの復号時に、制御チャネルの位置を特定するために第１の制御チャネル中に与えられた時間周波数リソースロケーションおよび帯域幅情報を使用して第２の制御チャネルの復号を実行し得る。第２のチャネルは、復号を実行するために第１のチャネル復号方法、Ｃ−ＲＮＴＩ、およびニューメロロジーをさらに使用し得、それは、第２のレベルの制御チャネル中の仮定されるロケーションとして第１のレベルの制御チャネル中に与えられた基準信号（ＲＳ）のロケーションをさらに仮定し得る。第２の制御チャネルに関連付けられたパラメータは、限定はしないが、第１の制御チャネルからのオフセット、絶対時間、もしくは絶対時間からのオフセットの形での第２の制御チャネルのタイミングおよび持続時間、絶対帯域幅または許容帯域幅を与えるテーブルへのインデックスの形での帯域幅、周波数リソース、もしくはニューメロロジーブロック、復号すべき探索空間の数、探索空間のアグリゲーションレベル、探索すべきＤＣＩもしくはＤＣＩのサブセットなどの復号方法、復号のために使用されるＣ−ＲＮＴＩもしくは他の識別子、ニューメロロジー（サブキャリア間隔、ＦＦＴサイズなど）、ここで、第２の制御チャネルのニューメロロジーは、それが送信され得るニューメロロジーブロックのものに一致しないことがある、ビームの向き、ビームのタイミング、Ｒｘビーム幅などの第２の制御チャネルのために使用される処理パラメータ（たとえば、一例では、ＷＴＲＵは、第２の制御チャネルに使用すべき必要とされるビーム幅を示し得る広いＲｘビームを使用して第１の制御チャネルを復号し得、ＷＴＲＵは、次いで、より狭いビームを使用して第２の制御チャネルを復号し得、またその逆も同様である）、ならびに／または第２のレベルの制御チャネル中の基準信号のロケーションを含む。
【０１４５】
リソース許可は、第１の制御チャネルを復号するとＷＴＲＵによって決定され得る。この場合、ＷＴＲＵは、第２のレベルの制御チャネルの復号を無視し得る。
【０１４６】
第２の制御チャネルのパラメータは、第１の制御チャネル中で明示的に示され得る。一代替では、第２の制御チャネルのパラメータは、第２の制御チャネルの１つまたは複数のパラメータに直接マッピングされる第１の制御チャネルの１つまたは複数のパラメータなどの暗黙的方法を介してＷＴＲＵによって決定され得る。たとえば、第１の制御チャネルのために使用されるニューメロロジーは、第２の制御チャネルのために使用されるニューメロロジーをＷＴＲＵに示し得る。別の代替では、第２のレベルの制御チャネルを復号することについて本明細書で説明する１つまたは複数のパラメータは、第１のレベル制御チャネル中で与えられず、ＷＴＲＵによってアプリオリに知られていないことがあるか、または半静的なシグナリングを使用してＷＴＲＵに与えられ得、第１のレベルの制御チャネルは、第２のレベルの制御チャネルを復号する必要だけを示し得る。
【０１４７】
フレキシブルなリソース使用状況のための方法およびシステムでは、ＷＴＲＵは、固定された時間期間の間第２のレベルの制御チャネルを監視するという指示を受信し得る。ＷＴＲＵは、第１のレベルの制御チャネル上でメッセージを受信すると、固定された時間期間の間だけ第２のレベルの制御チャネルを復号する必要があり得る。この時間期間は、第１の制御チャネル上のメッセージ中に示され得る。期間は、（たとえば、第２の制御チャネルの、または第２の制御チャネルが位置するニューメロロジーブロックのシンボルまたはサブフレームサイズを使用した）時間、シンボル、またはサブフレーム的なものであり得る。別の実施形態では、時間期間は、ＷＴＲＵによって知られているか、またはネットワークによって半静的に構成され得る。ＷＴＲＵは、さらに、この期間中に第１のレベルの制御チャネルを監視する必要がないことがある。ＷＴＲＵが第２のレベルの制御チャネルを監視する必要がある時間期間の満了時に、ＷＴＲＵは、第１のレベルの制御チャネルを監視するのに戻り、第１のレベルの制御チャネル上でのさらなるシグナリングまで第２のレベルの制御チャネルを監視するのを止め得る。
【０１４８】
フレキシブルなリソース使用状況のための方法およびシステムでは、制御チャネルのための基準信号があり得る。ＷＴＲＵは、制御チャネル送信の復調を可能にするためにチャネル推定に基準信号（ＲＳ）を使用し得る。一実施形態では、ＲＳは、ＲＥＧと同様の方法でＣＣＥ内で連結され得る。ＲＳは、次いで、制御チャネル領域のために使用されるリソース内でのＲＳの適切な拡散を保証するためにＲＥＧと同様の方法でインターリーブされ得る。
【０１４９】
別の実施形態では、ＲＳは、ニューメロロジーブロック内で使用されるニューメロロジーパラメータのセットに依存する方式で構成または配置され得る。そのような配置は、固定されるか、またはニューメロロジーブロックの構成と同じかもしくは異なる時間に構成可能であり得る。
【０１５０】
ＲＳは、１つまたは複数のニューメロロジーブロックにマッピングされ得る。たとえば、ＲＳは、すべてのニューメロロジーブロック中とすべてのサブフレーム中とに存在し得る。別の例では、ＲＳは、すべてのニューメロロジーブロック中だが、スケジューリング機会をもつサブフレーム中にのみ存在し得る。別の例では、ＲＳは、制御チャネル領域が構成されているニューメロロジーブロックおよび／またはサブフレーム中にのみ存在し得る。
【０１５１】
フレキシブルなリソース使用状況のための方法およびシステムでは、ＷＴＲＵは、複数のニューメロロジーブロック上でデータを送信または受信し得る。ＷＴＲＵは、同じまたは異なるキャリア中で、所与の時間に２つ以上のニューメロロジーに従って信号を送信（または受信）するように構成され得る。このタイプの動作は、ＷＴＲＵのための複数のユースケースをサポートするのに有益であり得、および／またはＷＴＲＵが、複数のニューメロロジーブロックで構成されたキャリアの全周波数リソースにアクセスすることを可能にし得る。
【０１５２】
図６Ａに、２つ以上のニューメロロジーによる信号の受信のための例示的な実施形態を示す。受信信号６０１は、異なる周波数ブロック中の２つ以上のニューメロロジーに従って構造化された信号から構成され得る。たとえば、第１および第２の信号成分だけ離間したサブキャリアは、それぞれ、Ｓ1およびＳ2であり得る。第１の信号成分は、キャリアの上部周波数範囲において帯域幅Ｗ1＝Ｋ1×Ｓ1の周波数ブロックを占有し得、ここで、Ｋ1は、第１の信号成分によって使用されるサブキャリアの数である。第２の信号成分は、キャリアの下部周波数範囲において帯域幅Ｗ2＝（Ｃ2−Ｋ2）×Ｓ2の周波数ブロックを占有し得、ここで、Ｋ2は、第２の信号成分によって使用されるサブキャリアの数であり、Ｃ2は、Ｓ2の単位で表されるキャリア帯域幅である。第１および第２の信号成分は、重複しない周波数を占有し得る。
【０１５３】
６０２においてレートＴｓでサンプリングした後に、サンプルｒnは、平行チェーンによって処理され得る。平行チェーンは、異なるニューメロロジーのシンボルが同時に開始しない一例では、遅延（たとえば、ｄ１またはｄ２）を追加し得る要素Ｚ-d1６０３ａおよびＺ-d2６０３ｂで開始し、他の例では、遅延は使用されないことがある。各チェーン中で、サイクリックプレフィックス（ＣＰ）（適用可能な場合）は、ＣＰ１  ６０４ａおよびＣＰ２  ６０４ｂにおけるＤＦＴ処理の前に除去され得、ここで、ＣＰ１およびＣＰ２はそれぞれのサイクリック持続時間である。ＣＰは、ＤＦＴ動作が、それぞれ、第１および第２のチェーンについて（Ｎ１×Ｔｓ＋ＣＰ１）ごとにおよび（Ｎ２×Ｔｓ＋ＣＰ２）ごとに行われるように除去され得る。６０５ａおよび６０５ｂにおいて、ＤＦＴへのグループとして時間サンプルを入力することを可能にするために、直並列処理が行われ得る。各チェーンは、第１のチェーンについてはＤＦＴ６０６ａにおいて、第２のチェーンについてはＤＦＴ６０６ｂにおいて異なるサイズおよび異なるレートを用いてＤＦＴ動作を実行し得る。第１および第２のチェーンのＤＦＴサイズは、それぞれ、Ｎ１＝１／（Ｔｓ×Ｓ1）およびＮ２＝１／（Ｔｓ×Ｓ2）である。ＤＦＴ処理に続いて、信号が対応するニューメロロジーに従って存在したサブキャリアに対応しないサンプル６０８が破棄され得る。信号が対応するニューメロロジーに従って存在したサブキャリアに対応するサンプルは、並直列処理６０７ａおよび６０７ｂを通過し得、ここで、ＤＦＴは、次いで、それらの最終的な行き先に向けたデータ６０９ａおよび６０９ｂのさらなる処理を可能にするために直列方式で配置され得る要素のグループを生成する。
【０１５４】
図６Ｂに、２つ以上のニューメロロジーによる信号の送信のための例示的な実施形態を示す。受信の例と同様に、送信信号は、異なる周波数ブロック中の２つ以上のニューメロロジーに従って構造化された信号から構成され得る。処理ステップは、逆の順序で受信側における処理ステップに対応する。平行チェーン中で処理されるソースからのデータ６１９ａおよび６１９ｂがあり得る。データは、６１７ａおよび６１７ｂにおいて直並列処理を受け得る。ニューメロロジーごとに、逆ＤＦＴ（ＩＤＦＴ）６１６ａおよび６１６ｂ動作が、各サブキャリアに対応する信号に対して実行され得、値０  ６１８が、対応するニューメロロジーの信号が存在しないサブキャリアの位置に挿入され得る。信号は、次いで、６１５ａおよび６１５ｂにおいて並直列処理を受ける。６１４ａおよび６１４ｂにおけるサイクリックプレフィックスの挿入に続いて、各チェーンからのサンプルは、（すなわち、本明細書で説明する６０３ａおよび６０３ｂと同様の）要素Ｚ-t1６１３ａおよびＺ-t2６１３ｂにおいて遅延を処理し得る。６１２において、サンプルは６１１におけるデジタルアナログ変換より前に加算され、その時点で、それらは６１０において送信され得る。
【０１５５】
図６Ａおよび図６Ｂに示す動作の順序は、例であり、必要に応じて再順序付けされるか、除去されるか、または追加され得る。たとえば、窓かけ（すなわち、時間的に変化するファクタによるサンプルの乗算）は、受信操作中の信号間のスペクトル隔離を向上するためにＣＰの除去より前に処理され得る。別の例では、窓かけはまた、加算より前に送信機側において処理され得る。
【０１５６】
ＷＴＲＵは、ニューメロロジーブロック内のリソース上のデータを受信または送信するようにスケジュールされ得る。送信のための制御チャネルのスケジューリングリソースは、データ送信と同じニューメロロジーブロック中にあるか、または別のニューメロロジーブロック中にあり得る。
【０１５７】
ＷＴＲＵは、単一の制御チャネル送信をもつ複数のニューメロロジーブロックにわたる送信でスケジュールされ得る。一実施形態では、ＷＴＲＵは、ニューメロロジーブロックごとに少なくとも１つのトランスポートブロック（ＴＢ）を受信または送信し得る。この実施形態では、ＷＴＲＵは、キャリア帯域幅全体上でのデータの送信または受信を可能にするために複数のトランスポートブロックでスケジュールされ得る。
【０１５８】
ＷＴＲＵは、ニューメロロジーブロックのセットごとに少なくとも１つのトランスポートブロックを受信または送信し得る。たとえば、複数のニューメロロジーブロックがニューメロロジーパラメータの同じセットを共有する場合、トランスポートブロックは、それらにわたり得る。トランスポートブロックは、複数の連続するかまたは不連続のニューメロロジーブロックにわたり得る。複数の不連続のニューメロロジーブロックにわたるトランスポートブロックのＲＥマッピングは、実際の物理リソースにそれを転置する前に仮想方式で行われ得る。
【０１５９】
ＷＴＲＵは、複数のニューメロロジーブロックにわたる少なくとも１つのトランスポートを受信または送信し得る。たとえば、トランスポートブロックは、ニューメロロジーパラメータのセットが各ニューメロロジーブロックで同じであるのかどうかにかかわらず、複数のニューメロロジーブロックにわたり得る。特定の例では、システムは、第１のニューメロロジーブロックで第１のサービス（たとえば、ｅＭＢＢ）をサポートし、異なるニューメロロジーパラメータを有する第２のニューメロロジーで第２のサービス（たとえば、ＵＲＬＬＣ）をサポートするキャリアを有し、この場合、キャリアは、ＷＴＲＵをスケジュールする前にパラメータを調和させるために少なくとも１つのニューメロロジーブロックを再構成し得る。代替的に、ニューメロロジーパラメータは、異なるブロックごとに別様に維持され得る。一実施形態では、より良いセル間干渉協調は、ＷＴＲＵが複数のブロックにわたる少なくとも１つのトランスポートを受信または送信することによって可能になり得る。
【０１６０】
フレキシブルなリソース使用状況のための方法およびシステムでは、ＷＴＲＵデータ送信のための周波数割振りに関係する制御情報があり得る。データ送信は、少なくとも１つのニューメロロジーブロック中に位置する制御チャネルによってスケジュールされ得る。１つまたは複数のニューメロロジーブロック上で送信されるデータのための制御情報は、周波数割振りを含み得る。周波数割振りは、データがＷＴＲＵによって送信または受信され得るサブキャリアの実際のセットを示し得る。サブキャリアは、ニューメロロジーブロック構成によっては連続方式で番号付けされ得る。たとえば、第１のニューメロロジーブロックが、ｎ個のサブキャリアを有することにつながるＳＣＳを有する場合、それのサブキャリアは０からｎと標示され得る。（ニューメロロジーブロックが最低周波数から最高周波数に番号付けされる）第２のニューメロロジーブロックは、ｍ個のサブキャリアを有し得、それのサブキャリアは、ｎ＋１からｎ＋ｍ−１と標示され得、以下同様である。別の例では、サブキャリアは、他のニューメロロジーブロック中のサブキャリアの数とは無関係である方式で標示され得る。たとえば、ニューメロロジーブロックＮのｎ個のサブキャリアは、Ｎ．ｉと標示され得、ここで、０≦ｉ≦ｎである。上記はまた、リソースブロックが割振り中でサブキャリアの代わりに使用される場合に適用可能であり得る。
【０１６１】
別の実施形態では、周波数割振りは、データがＷＴＲＵによって送信または受信され得る周波数のセット（または周波数範囲）を示し得る。周波数のセットとニューメロロジーブロック構成とに基づいて、ＷＴＲＵは、リソース要素（ＲＥ）の総数を決定し得る。
【０１６２】
別の実施形態では、周波数割振りは、ニューメロロジーに依存しないリソースブロックのセットに関して表され得、ここで、リソースブロックは、サブキャリア間隔とは無関係の固定された帯域幅に関して定義され得る。したがって、このようにして定義されたリソースブロック中のサブキャリアの数は、サブキャリア間隔に依存する。たとえば、１８０ｋＨｚのリソースブロックは、サブキャリア間隔が、それぞれ、１５ｋＨｚまたは３０ｋＨｚであるのかどうかに応じて１２個のサブキャリアまたは６つのサブキャリアとして定義され得る。そのような実施形態は、各ニューメロロジーブロック中で使用されるサブキャリア間隔とは無関係の周波数割当ての指示を可能にし得る。
【０１６３】
フレキシブルなリソース使用状況のための方法およびシステムでは、ＷＴＲＵデータ送信のための周波数割振りに関係する制御情報があり得、ここで、データチャネルの受信／送信が適応可能である。ＷＴＲＵは、それがデータを送信または受信し得る周波数リソースの（キャリア全体の）サブセットで構成され得る。そのような構成は、効率的な周波数割振りを可能にするために必要とされ得る。たとえば、ＷＴＲＵは、ニューメロロジーブロックのサブセットで、またはニューメロロジーブロック内のリソースのサブセットで構成され得る。
【０１６４】
一実施形態では、ＷＴＲＵは、（全体的な帯域幅がＢ＞Ｂ１である）キャリアＣ上の動作帯域幅Ｂ１で構成され得る。ある時間に、ＷＴＲＵは、ＷＴＲＵをより大きい量のリソースでスケジュールすることを可能にするためにＢ１からＢ２（Ｂ１＜Ｂ２＜Ｂ）にそれの動作帯域幅を変更するようにネットワークによって再構成され得る。別の例では、ＷＴＲＵは、ニューメロロジーブロックの第１のサブセットを用いて動作するように構成され得、ある時間に、ニューメロロジーブロックの第２のサブセットに変更するように構成され得、そのような再構成は、ＷＴＲＵがデータのためにスケジュールし得るかまたはＵＬ送信のために利用し得る全体的な帯域幅へのリソースブロック、サブキャリア、またはニューメロロジーブロックの追加を備え得る。
【０１６５】
より小さい帯域幅で構成されたＷＴＲＵは、それがそのセグメントに限定されるようにそれの受信、データ処理、測定などを構成し得る。ＷＴＲＵは、ネットワークによって構成されたセグメントに限定されるフロントエンド、ＦＦＴ／ＩＦＦＴ、またはベースバンド処理を使用し得る。たとえば、帯域幅Ｂ１で構成されたＷＴＲＵは、データチャネルを受信するためにＦＦＴサイズＦ１を利用し得る。帯域幅Ｂ２＞Ｂ１で構成されたとき、ＷＴＲＵは、データチャネルを受信するためにＦＦＴサイズＦ２＞Ｆ１を利用し得る。そのような構成は、それの受信回路／ＨＷ／ＳＷが所与のキャリアの帯域幅全体にわたって動作するのを保証するのにＷＴＲＵの負荷要件が十分でないときに電力節約の利点を生じ得る。
【０１６６】
（リソースブロックおよびそれらの構成を含む）帯域幅またはセグメントは、標準化によって、またはセルによるシステム情報のブロードキャストに基づいてあらかじめ定義され得る。ＷＴＲＵは、各々が所与の時間の間に構成されたＷＴＲＵに固有の帯域幅として利用され得るセグメントまたはニューメロロジーブロックの１つに対応するインデックスのセットを受信し得る。
【０１６７】
適応可能なデータ帯域幅により、スケジューリング割当てまたは許可における周波数割振りが、より大きいペイロードを必要とすることなしにより大きいグラニュラリティを有することが可能になり得る。これらの例では、スケジューリングのための制御情報中に含まれる周波数割振りのＷＴＲＵによる解釈は、構成された周波数リソースに依存し得る。たとえば、ＷＴＲＵが周波数リソースの第１のセットで構成される場合、スケジューリング割当てまたは許可における周波数割振りは、サブキャリアまたはサブキャリアのグループのレベルに関するグラニュラリティを示し得る。代替として、ＷＴＲＵが周波数リソースの第２のより大きいセットで、たとえば、複数のニューメロロジーブロックで構成される場合、スケジューリング割当てまたは許可における周波数割振りはリソースブロックまたはリソースブロックのグループのグラニュラリティを示し得る。
【０１６８】
ＷＴＲＵは、構成されたデータチャネル帯域幅に基づいてＤＣＩメッセージ中のリソース関連情報のスケーリングを実行し得る。そのようなスケーリングにより、スケジューラが十分なグラニュラリティですべてのリソースに対処することを依然として可能にしながら、ＷＴＲＵのために現在構成されている適応データチャネル帯域幅にかかわらず、同じタイプのＤＣＩメッセージを利用することが可能になり得る。ＷＴＲＵは、ＤＣＩ内のリソースブロックインデックス（たとえばリソース割振りのための開始インデックス）、リソースブロックの長さまたは数、および／または割り振られたリソースブロックのビットマップの量に対してスケーリングを適用し得る。
【０１６９】
たとえば、ＷＴＲＵは、構成されたデータ帯域幅に応じていくつかの連続リソースブロックを割り振るＤＣＩメッセージ中の長さフィールドを解釈し得る。ＷＴＲＵは、Ｂ１を有するとともにリソース割振りのための長さＮを受信し、Ｎ個のリソースブロック上のデータを復号し得る。帯域幅Ｂ２＞Ｂ１で構成されると、ＷＴＲＵは、ｘ＊Ｎ個のリソースブロック（ここで、ｘ＞１）を復号し得る。
【０１７０】
ＷＴＲＵは、ネットワークによってキャリア上のアクティブなデータチャネルの帯域幅および／またはロケーションを変更するように再構成され得る。
【０１７１】
ＷＴＲＵは、電力を節約するために適応可能なデータチャネル帯域幅を変更し得る。適応可能なデータチャネルの変更は、いずれも本明細書で説明する半静的帯域幅変更シグナリング、データ帯域幅の動的シグナリング、帯域幅の周期的な決定、および／または低域帯域幅への自動フォールバックに基づき得る。
【０１７２】
半静的帯域幅変更シグナリングの場合、ＷＴＲＵは、構成されたデータチャネル帯域幅の変更を示すためにネットワークからメッセージを受信し得る（ＲＲＣシグナリング、媒体アクセス制御（ＭＡＣ）ＣＥ、または物理レイヤ（ＰＨＹ））。たとえば、ＷＴＲＵは、場合によっては、サービスの導入／除去および／またはより多い／より少ない量のリソースの必要性のネットワークによる決定の結果として、そのようなシグナリングを使用してデータ帯域幅を増加／減少させるように構成され得る。
【０１７３】
データ帯域幅の動的シグナリングの場合、利用されるデータ帯域幅は、基準信号の存在／不在および／または配置を通してシグナリングされ得る。ＷＴＲＵは、基準信号の配置の変更に基づいて構成された帯域幅の変更を検出し得る。たとえば、Ｂ１からの基準信号の配置の変更は、構成された帯域幅がＢ２に変更されたことをＷＴＲＵに示し得る。
【０１７４】
帯域幅の周期的な決定の場合、ＷＴＲＵは、ネットワークからのシステム情報の読取りによってまたは周期的に送信されたグループ固有の（再）構成によってある時間期間の間に使用されるデータチャネル帯域幅を周期的に決定する必要があり得る。ＷＴＲＵは、ネットワークによるセル帯域幅またはニューメロロジーブロックのセットの次の予想されるブロードキャストまで特定の時間期間の間にセルによってブロードキャストされるセル帯域幅またはニューメロロジーブロックのセット上で動作し得る。
【０１７５】
低域帯域幅への自動フォールバックが行われる場合、ＷＴＲＵは、より大きい帯域幅（Ｂ２＞Ｂ１）の使用に続いて、低域帯域幅（Ｂ１）を使用することに自動的にフォールバックし得る。そのようなフォールバックは、増加する、変更する、もしくはより大きい帯域幅を維持するためにネットワークからメッセージを受信することなしに特定の時間量に続いて、拡張（すなわち、Ｂ２−Ｂ１）に関連付けられたセグメントまたは帯域幅の追加の部分中での基準信号の不在の検出時、ここで、拡張に関連付けられた基準信号の電力が構成されたしきい値を下回る場合、そのような不在がＷＴＲＵによって決定され得る、および／またはネットワーク（ＤＬまたはＵＬ）からいかなるスケジューリングを受信することなしに特定の時間量に続いてもしくはネットワークによって受信された許可の数が構成されたしきい値を下回る時間期間に続いてのうちの少なくとも１つの状態の下で潜在的に行われ得る。
【０１７６】
下位動作帯域幅に（またはニューメロロジーブロックのフォールバックセットに）フォールバックすると、ＷＴＲＵは、フォールバック制御チャネル領域を監視し始め得る。そのようなフォールバック制御チャネル領域は、フォールバック動作を対象とするニューメロロジーブロックのセットに関連付けられた標準制御チャネル領域であり得る。そのようなフォールバック制御チャネル領域は、本明細書で提示する階層制御チャネル実施形態で説明したように第１の制御チャネルであり得る。別の実施形態では、ＷＴＲＵは、ニューメロロジーブロックを再構成するために使用され得る制御チャネル領域を監視するためにフォールバックし得る。
【０１７７】
ＷＴＲＵは、単一のＴＴＩ内でそれのデータチャネル帯域幅を変更し得、したがって、ＷＴＲＵのための構成されたデータ帯域幅、相応してＷＴＲＵによって実行されるＦＦＴ／ベースバンド処理は、ＴＴＩ中のシンボルの１つのセットについて同じＴＴＩの間のシンボルの異なるセットと比較して異なり得る。たとえば、構成されたデータ帯域幅Ｂ２＞Ｂ１で動作するＷＴＲＵは、最初のｘ個のシンボルについて、ＷＴＲＵが、データ帯域幅Ｂ１を使用して動作するが、ＴＴＩの残りのシンボルについて、ＷＴＲＵがデータ帯域幅Ｂ２を使用して動作すると仮定し得る。
【０１７８】
ＷＴＲＵは、それの可変データチャネル構成によってはＴＴＩ内で適応を使用してさらに動作し得る。たとえば、ＷＴＲＵは、いくつかの構成では（たとえば、ＷＴＲＵが帯域幅Ｂ１で構成される）、ＷＴＲＵが、常に、帯域幅Ｂ１を採用し得るが、他の構成では（たとえば、ＷＴＲＵが帯域幅Ｂ２＞Ｂ１で構成される）、ＷＴＲＵが、ＴＴＩの始めに帯域幅Ｂ１を採用し、ＴＴＩの終わりに帯域幅Ｂ２を採用し得ると仮定し得る。
【０１７９】
ＷＴＲＵは、ＷＴＲＵに、初期割当て中にリソースブロックの第１のセットを介してデータを受信させることによって可変または適応データチャネルでスケジュールされ得、同時にまたはあらかじめ定義されたオフセットでＷＴＲＵに与えられる追加のまたは拡張のリソースを有し得る。ＷＴＲＵは、次いで、データについてそれに割り当てられたリソースブロックまたはリソース要素のセットまたはニューメロロジーブロックのセットのうちの１つ内でそれのリソース割当てに関係する補足制御情報を受信し得る。補足制御情報は、拡張リソース中でＷＴＲＵによって使用されるべきリソース（たとえば、リソースブロック）またはリソースの使用状況（たとえば、変調およびコーディング方式（ＭＣＳ））を与え得る。ＷＴＲＵは、いくつかのデータチャネル構成または帯域幅の下で存在する補足制御情報を予測し得、それは、ＷＴＲＵへの初期割当て内のリソースの定義されたまたは半静的に構成されたセット中に位置する符号化された制御フレームおよび／またはＷＴＲＵへの初期割当て内のリソース中で送信されるＭＡＣ  ＣＥ中で決定され得る。
【０１８０】
１つの例示的な実施形態では、ＷＴＲＵは、５ＭＨｚ、１０ＭＨｚ、または２０ＭＨｚであり得るデータチャネルを使用して動作するように構成され得る。１０ＭＨｚまたは２０ＭＨｚの下での動作は、拡張リソースの下での動作と見なされ得る。２０ＭＨｚのデータチャネルを用いて動作するとき、ＷＴＲＵは、初期の５ＭＨｚの帯域幅内に割り振られた特定のリソースブロックを示すリソース許可を受信し得る。拡張リソースを使用して動作するＷＴＲＵは、初期の５ＭＨｚにわたって割り当てられたＷＴＲＵに専用のリソース内に位置するＷＴＲＵに専用の制御メッセージを復号することによって拡張帯域中でそれに割り振られる追加のリソースを決定し得る。ＷＴＲＵは、補足制御情報の復号を可能にするためにベースの５ＭＨｚのデータリソースと拡張（追加の１５ＭＨｚ）のデータリソース間の時間オフセットをさらに仮定し得るか、またはそれは、前に定義したように、データチャネルの適応がＴＴＩ内で行われ得ると仮定し得る。
【０１８１】
データは、仮想リソースブロック（ＶＲＢ）中のＲＥにマッピングされ得、場合によっては、周波数の選択性をなくすためにマッピングされ得、ここにおいて、そのようなＶＲＢは、隣接しないＰＲＢにマッピングされ得る。ＶＲＢからＰＲＢへのマッピングは、場合によっては、すべてのＰＲＢのためのビットマップまたは事前構成されたマッピング関数への入力を使用して送信をスケジュールするＤＣＩ中に示され得る。場合によっては、ＷＴＲＵまたはＴＲＰは、空のまたは未使用のリソースと見なされるニューメロロジーブロックのセット上で送信しないことがある。ＶＲＢからＰＲＢへのマッピングは、送信のためにどのブロックが使用され得るのかに依存し得る。１つのシナリオでは、ＶＲＢからＰＲＢへのマッピングは、制御チャネル送信中に（たとえば、ＤＣＩ中に）ＷＴＲＵに明示的に示され得る。別のシナリオでは、ＶＲＢからＰＲＢへのマッピングは、ブロックベースのインターリーバおよび／またはある周波数ギャップでのリソースブロックペアの分割によって達成され得る。ブロックベースのインターリーバの場合、インターリービング機能は、ＷＴＲＵが動作するように構成されたニューメロロジーブロックのＰＲＢ上でのみ行われ得る。たとえば、ＷＴＲＵ用に構成されたＰＲＢは、連続的にインデックス付けされ得、そのようなインデックス付けは、ＷＴＲＵ（たとえば、空のまたは未使用のリソース）用に構成されていないキャリアの帯域幅部分を飛ばしてスキップし得る。リソースブロックペアの分割の場合、ギャップは、インターリービングについて上記で説明したのと同様の方法で、ＷＴＲＵが動作するように構成されたニューメロロジーブロックのＰＲＢ上でのみカウントされ得る。
【０１８２】
場合によっては、ＶＲＢからＰＲＢへのマッピングは、１つまたは複数の周波数領域が未使用であるのかどうかとは無関係であるように定義され得る。たとえば、ＶＲＢからＰＲＢへのマッピングは、未使用のニューメロロジーブロックを考慮に入れ得、インターリービングは、使用されるべきでないニューメロロジーブロックのＰＲＢにＶＲＢがマッピングされないことを常に保証し得、および／または総帯域幅は、ＰＲＢに分割され得、そのようなＰＲＢは、いくつかの順序で（たとえば、最低の周波数から最高の周波数に）インデックス付けされ得る。ＷＴＲＵは、それがデータ送信を予想しないことがある領域（たとえば、ニューメロロジーブロックが構成されていない領域）中のものを含むすべてのＰＲＢを考慮に入れるためにＶＲＢからＰＲＢへのマッピングルールを理解し得る。そのような場合、ＷＴＲＵは、場合によっては、未使用のニューメロロジーブロック中の未使用のＰＲＢの適切な数（すなわち、ＰＲＢのサイズがニューメロロジーに依存するのかどうか、たとえば、それが固定数のサブキャリアであるのかどうか）を決定するために未使用のニューメロロジーブロックのニューメロロジーを知る必要があり得る。ＷＴＲＵは、未使用のニューメロロジーブロックについてのニューメロロジーパラメータで構成され得る。そのような構成は、場合によっては、ブロックがＵＬ、ＤＬ、またはＳＬ中でのデータ送信のために使用され得ないという指示とともにそのようなブロックについて仮定すべきニューメロロジーパラメータをＷＴＲＵに示し得る。
【０１８３】
フレキシブルなリソース使用状況のための方法およびシステムでは、データは、各々が異なるニューメロロジーパラメータをもつ複数のニューメロロジーブロックのリソース要素にマッピングされ得る。図７に、最初に周波数７０２を使用し、次に、時間７０１を使用して複数のニューメロロジーブロックにわたってマッピングし、ニューメロロジーブロック７０３ａごとにマッピングし、最小シンボル時間７０３ｂだけ増分し、各ニューメロロジーブロック７０３ｃのシンボル時間だけ増分し、および／または最大シンボル時間７０３ｃだけ増分するＲＥの一例を示す。グルーピング７０４ａ、７０４ｂ、および７０４ｃは、例示的な周波数範囲を表す。
【０１８４】
トランスポートブロックは、単一のニューメロロジーブロックまたは複数のニューメロロジーブロック上で送信され得、リソース要素（ＲＥ）のマッピングは、最初に、周波数的に（すなわち、サブキャリアにわたって）行われ、次いで、時間的に（すなわち、シンボルにわたって）、またはこの逆で行われ得る。
【０１８５】
代替として、トランスポートブロックは、ニューメロロジーパラメータの異なるセットをもつ複数のニューメロロジーブロックにわたり得、ここで、ＲＥマッピングは、所定であるか、送信をスケジュールする制御情報中に示されるか、またはニューメロロジーブロックの構成中に示され得る。
【０１８６】
一実施形態では、ＲＥマッピングは、ニューメロロジーブロックごとに行われ得、それにより、マッピングは、単一のニューメロロジーブロックについて説明したマッピングルールに従うニューメロロジーブロック内で行われる。ＲＥマッピングのためのニューメロロジーブロックの順序は、周波数または時間にわたって連続的に行われ得る。
【０１８７】
図７の部分７０３ｂの例に関係する実施形態では、ＲＥマッピングは、すべてのニューメロロジーブロックにわたって行われ得る。たとえば、ＲＥマッピングは、最初にサブキャリアにわたって行われ得る。最も小さいシンボルのシンボル境界が使用され得、マッピングは、そのとき境界を有するすべてのサブキャリアにわたる第１のシンボル境界において開始し得る。次に、マッピングは、２番目に最も小さいシンボル境界に続き得、それは、そのとき境界を有するすべてのサブキャリアにわたって行われ得る。同様の実施形態は、最初に時間を使用し、最も小さいサブキャリアのサブキャリア境界を使用し得る。
【０１８８】
図７の部分７０３ｃの例に関係する実施形態では、ＲＥマッピングは、最初は周波数（または時間）的に、次いで時間（または周波数）的にすべてのニューメロロジーブロックにわたって行われ得る。この例では、時間は、最大のシンボルサイズだけ増分される。より小さいシンボル時間をもつニューメロロジーブロックでは、ＲＥマッピングは、そのニューメロロジーブロックの周波数範囲にわたって行われ、より大きいシンボル時間の終わりまで時間的にシフトされる。
【０１８９】
図７の部分７０３ｄの例に関係する実施形態では、ＲＥマッピングは、最初に周波数的に行われるが、最も小さいもの以外のシンボルサイズによって定義された時間境界を使用して行われ得る。適切なシンボルサイズの境界は、制御情報中に示され得るか、または制御情報（たとえば、制御チャネル領域、または制御チャネル領域のニューメロロジー）を送信するために使用される制御チャネルのパラメータに依存し得る。この例では、いくつかのニューメロロジー中のいくつかのＲＥは未使用のままであり得る。
【０１９０】
時間領域では、データは、隣接しないシンボルにマッピングされ得る。たとえば、ＲＥマッピングは、場合によっては、シンボルごとの干渉の変更の影響をランダム化するために時間インターリーブを使用し得る。別の例では、データマッピングは、いくつかのシンボルにわたってスキップし得る。たとえば、ＲＥマッピングは、シンボルの第１のセットのすべてのサブキャリアにわたって行われ、次いで、シンボルの第２のセットにわたってスキップし、シンボルの第３のセットにわたって続け得る。そのような中断は、異なるトランスポートブロックの送信をシグナリングする必要はない。中断のタイミングおよびサイズは、スケジューリング情報を与える制御チャネル送信中に示され得る。
【０１９１】
フレキシブルなリソース使用状況のための方法およびシステムでは、ＷＴＲＵ送信のために使用されるニューメロロジーは、ＷＴＲＵによって選択され得る。たとえば、ＷＴＲＵは、ニューメロロジーパラメータの特定のセットをもつニューメロロジーブロックのセットで構成され得る。しかしながら、ＷＴＲＵは、ニューメロロジーパラメータの異なるセットを使用する無許可の送信を必要とし得る。別の例では、ＷＴＲＵは、適切なニューメロロジーブロックで構成され得るが、それは、それの送信のためにそのニューメロロジーを使用するより大きい帯域幅を必要とし得る。
【０１９２】
ニューメロロジーパラメータのＷＴＲＵに選択されたセットは、事前構成に依存し得、ここで、ネットワークは、ニューメロロジーパラメータの何のセットが適用可能であるのかをＷＴＲＵに示す。この構成は、ニューメロロジーブロック構成と一緒に行われ得る。
【０１９３】
別の実施形態では、ＷＴＲＵは、ニューメロロジーパラメータの適用可能なＷＴＲＵに選択されたセットのためのいくつかの所定のルールに従い得る。たとえば、ＷＴＲＵは、衝突するニューメロロジーブロック中のニューメロロジーを用いた方法でスケーリングするニューメロロジーパラメータのみを選択し得る。たとえば、ＷＴＲＵは、シンボル持続時間またはサブキャリア間隔が衝突するニューメロロジーブロックのシンボル持続時間またはサブキャリア間隔の整数倍（または約数）であるニューメロロジーのみを選択し得る。また別の実施形態では、新しいインター／イントラニューメロロジーブロック干渉を作成しないであろうパラメータのみが改変され得る。たとえば、ＷＴＲＵは、異なるサブフレーム長を選択し得るが、サブキャリア間隔を変更しないことによってサブキャリアの直交性を維持しなければならない。
【０１９４】
フレキシブルなリソース使用状況のための方法およびシステムでは、リソース要素は、（異なるＴＲＰとの間での）異なるニューメロロジーを用いる送信が衝突し得るときに解消するために基準信号を用いてマッピングされる。異なるＴＲＰまたはＷＴＲＵは、キャリアによって異なるニューメロロジーブロック構成で構成され得る。たとえば、第１のＴＲＰは、ニューメロロジーブロックの境界とニューメロロジーブロックのパラメータのセットとの第１のセットを有し得、第２のＴＲＰは、ニューメロロジーブロックの境界とニューメロロジーブロックのパラメータのセットとの第２のセットを有し得る。キャリアの同じサブバンド上でニューメロロジーパラメータの異なるセットを使用するＲＳが依存特性を有することが望ましいことがある。たとえば、適切な干渉管理のために、ＲＳが時間的にも周波数的にも重複するとき、直交カバーコーディング（ＯＣＣ）が使用され得る。別の例では、ＷＴＲＵがサブバンド中の同じニューメロロジーパラメータを使用しない異なるＴＲＰからのＲＳを測定することが可能であることが有益であり得る。しかしながら、ＲＳが同じニューメロロジーパラメータを共有しない場合、これらの２つの事例を達成するのは困難であることがある。
【０１９５】
図８に、異なるＴＲＰからのＲＳの直交化のための時間または周波数的なＲＳの受信の一例を示す。時間またはシンボル長を水平軸８０１に示し、周波数を垂直軸８０２に示す。ＲＳマッピングは、異なるニューメロロジーに同様のＲＳオーバーヘッドを有しさせる方法で行われ得る。たとえば、第１のシンボル長８０３を使用するキャリアの部分上での第１のＴＲＰからの（または第１のＴＲＰを対象とする）第１のＲＳ８００ａの送信が、第２のシンボル長８０４を使用するキャリアの同じ部分上での第２のＴＲＰからの（または第２のＴＲＰを対象とする）第２のＲＳ８００ｂの送信とともにあり得る。第１のシンボル長８０３が、第２のシンボル長８０４に分割可能な整数であると仮定すると、第１のシンボル長を使用して送信された（または受信した）ＲＳは、第２のシンボル長に一致するように時間的に繰り返されなければならない。たとえば、第１のシンボル長８０３を有する「ａ」は、第１のシンボル長８０３の長さの半分である第２のシンボル長８０４を有する、２つの「ｃ」と時間的に重複し得る。周波数的な繰り返しを使用する整数でスケーラブルなサブキャリアサイズのために、同様の実施形態が使用され得る。時間および周波数の繰り返しの組合せが使用され得、たとえば、（短いシンボル時間および長いＳＣＳをもつ）８００ｂの第１のニューメロロジーを使用して送信されるＲＳは、時間的な繰り返しを使用し得るが、（長いシンボル時間および短いＳＣＳをもつ）第２のニューメロロジー８００ａを使用して送信されるＲＳは、周波数的な繰り返しを使用し得る。
【０１９６】
別の実施形態では、（たとえば、異なるＴＲＰまたはＷＴＲＵからの）衝突するサブバンド中のすべてのＲＳは、ニューメロロジーパラメータの同じセットを使用し得る。この場合、ＲＳのニューメロロジー構成は、ニューメロロジーブロック構成とは無関係であり得る。たとえば、ＲＳ送信は、ブロックの時間周波数リソースを占有し得る。変調は、サブキャリア間隔が衝突するニューメロロジーブロック間の最も短いサブキャリア間隔に一致する状態でＩＦＦＴを使用して行われ得る。さらに、サンプリングは、衝突するニューメロロジーブロック間の最も短いシンボル時間を仮定して行われ得る。
【０１９７】
別の実施形態では、ブランキングは、同じ時間周波数リソースを使用する異なるニューメロロジーのＲＳ間の直交性を保証するために使用され得る。たとえば、短いサブキャリア間隔をもつ第１のニューメロロジーを使用して送信されるＲＳは、より長いサブキャリア間隔をもつ第２のニューメロロジーを使用する送信が衝突するサブキャリアのための複数のシンボルをブランキングすることを必要とし得る。同様に、長いサブキャリア間隔をもつ第１のニューメロロジーを使用して送信されるＲＳは、より短いサブキャリア間隔をもつ第２のニューメロロジーを使用する送信が衝突するシンボルのための複数のサブキャリアをブランキングすることを必要とし得る。
【０１９８】
特徴および要素について、特定の組合せで上記で説明したが、各特徴または要素が単独でまたは他の特徴および要素との任意の組合せで使用され得ることを、当業者は諒解されよう。さらに、本明細書で説明する方法は、コンピュータまたはプロセッサが実行するためのコンピュータ可読媒体に組み込まれたコンピュータプログラム、ソフトウェア、またはファームウェアで実装され得る。コンピュータ可読媒体の例は、（ワイヤードまたはワイヤレス接続を介して送信される）電子信号およびコンピュータ可読記憶媒体を含む。コンピュータ可読記憶媒体の例は、限定はしないが、読取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気メディア、光磁気メディア、ならびにＣＤ−ＲＯＭディスクおよびデジタル多用途ディスク（ＤＶＤ）などの光メディアを含む。ソフトウェアに関連するプロセッサは、ＷＴＲＵ、ＷＴＲＵ、端末、基地局、ＲＮＣ、または任意のホストコンピュータにおいて使用するための無線周波数トランシーバを実装するために使用され得る。
【図１Ａ】
2019531633.tif 000003
【図１Ｂ】
2019531633.tif 000004
【図１Ｃ】
2019531633.tif 000005
【図１Ｄ】
2019531633.tif 000006
【図２】
2019531633.tif 000007
【図３】
2019531633.tif 000008
【図４】
2019531633.tif 000009
【図５Ａ】
2019531633.tif 000010
【図５Ｂ】
2019531633.tif 000011
【図５Ｃ】
2019531633.tif 000012
【図６Ａ】
2019531633.tif 000013
【図６Ｂ】
2019531633.tif 000014
【図７】
2019531633.tif 000015
【図８】
2019531633.tif 000016
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
ワイヤレス送信／受信ユニット（ＷＴＲＵ）のための方法であって、
少なくとも同期信号を含む送信を受信するステップであって、前記受信した送信が、前記受信した送信の周波数領域に基づいて潜在的なサブキャリア間隔のサブセットを有する、受信するステップと、
前記受信した送信に基づいて、システム情報ブロック（ＳＩＢ）を捕捉する際に使用するための周波数リソースとサブキャリア間隔とを決定するステップと、
前記受信した送信に基づいて時々前記ＳＩＢを捕捉することに関連付けられた前記決定された周波数リソースを監視するステップと
を備える方法。
【請求項２】
前記受信した送信に基づいて、制御チャネル送信を受信する際に使用するための周波数リソースとサブキャリア間隔とを決定するステップを行う請求項１に記載の方法。
【請求項３】
マスタ情報ブロックが、前記同期信号と同じサブキャリア間隔を有する請求項１に記載の方法。
【請求項４】
前記同期信号が、１次同期信号と２次同期信号とを含む請求項１に記載の方法。
【請求項５】
ブラインド検出が、リソースの特定のセットを使用する前記同期信号を検出するために使用される請求項１に記載の方法。
【請求項６】
異なるサブキャリア間隔間の境界に関係するシグナリング情報を無線リソース制御を使用して受信するステップをさらに備える請求項１に記載の方法。
【請求項７】
ワイヤレス送信／受信ユニット（ＷＴＲＵ）であって、
少なくとも同期信号を含む送信を受信するように構成された受信機およびプロセッサであって、前記受信した送信が、前記受信したブロックの周波数領域に基づいて潜在的なサブキャリア間隔のサブセットを有する、受信機およびプロセッサ
を備え、
前記プロセッサが、前記受信した送信に基づいて、システム情報ブロック（ＳＩＢ）を捕捉する際に使用するための周波数リソースとサブキャリア間隔とを決定するように構成されており、
前記受信機および前記プロセッサが、前記受信した送信に基づいて時々前記ＳＩＢを捕捉することに関連付けられた前記決定された周波数リソースを監視するように構成された、ＷＴＲＵ。
【請求項８】
前記受信機および前記プロセッサが、前記受信した送信に基づいて、制御チャネル送信を受信する際に使用するための周波数リソースとサブキャリア間隔とを決定するように構成された請求項７に記載のＷＴＲＵ。
【請求項９】
マスタ情報ブロックが、前記同期信号と同じサブキャリア間隔を有する請求項７に記載のＷＴＲＵ。
【請求項１０】
前記同期信号が、１次同期信号と２次同期信号とを含む請求項７に記載のＷＴＲＵ。
【請求項１１】
前記受信機および前記プロセッサが、リソースの特定のセットを使用する前記同期信号を検出するためにブラインド検出を使用する請求項７に記載のＷＴＲＵ。
【請求項１２】
前記受信機および前記プロセッサが、異なるサブキャリア間隔間の境界に関係するシグナリング情報を無線リソース制御を使用して受信するように構成された請求項７に記載のＷＴＲＵ。
【請求項１３】
基地局であって、
少なくとも同期信号を含む送信を送信するように構成された送信機およびプロセッサ
を備え、
前記送信が、前記送信の周波数領域に基づいて潜在的なサブキャリア間隔のサブセットから選択されるサブキャリア間隔を有し、マスタ情報ブロックが、前記同期信号と同じサブキャリア間隔を有し、
前記送信機および前記プロセッサが、制御チャネルを送信するように構成されており、前記制御チャネルのための周波数リソースとサブキャリア間隔とが前記送信から決定可能である、基地局。
【請求項１４】
前記同期信号が、１次同期信号と２次同期信号とを含む請求項１３に記載の基地局。
【請求項１５】
前記送信機および前記プロセッサが、前記基地局によって使用される異なるサブキャリア間隔間の境界に関係するシグナリング情報を無線リソース制御を使用して送信するように構成された請求項１３に記載の基地局。
【国際調査報告】
2019531633.tif 000017
2019531633.tif 000018